(57)【要約】      （修正有）【課題】色ムラの発生を抑制された、照明装置、表示装置及びテレビ受信装置を提供する。【解決手段】液晶表示装置１０において、バックライト装置（照明装置）１２は、ＬＥＤ（光源）１７と、外周端面の少なくとも一部であってＬＥＤ１７からの光が入射される入光端面１９ｂと、一対の板面のいずれかであって光を出射させる出光板面１９ａと、を有する導光板１９と、導光板１９の出光板面１９ａに重なる形で配されＬＥＤ１７からの光を波長変換する蛍光体を含有する波長変換シート（波長変換部材）２０と、波長変換シート２０の外周側部分の少なくとも一部に取り付けられて波長変換シート２０の蛍光体にて波長変換された光の色と同色または同系色を呈する呈色部材３０と、を備える。【選択図】図４
2018200883.tif 000002
【特許請求の範囲】
【請求項１】
光源と、
外周端面の少なくとも一部であって前記光源からの光が入射される入光端面と、一対の板面のいずれかであって光を出射させる出光板面と、を有する導光板と、
前記導光板の前記出光板面に重なる形で配され前記光源からの光を波長変換する蛍光体を含有する波長変換部材と、
前記波長変換部材の外周側部分の少なくとも一部に取り付けられて前記波長変換部材の前記蛍光体にて波長変換された光の色と同色または同系色を呈する呈色部材と、を備え、
前記波長変換部材は波長変換層を一対の保護層で挟んでなる構成を有し、
前記呈色部材は、前記一対の保護層の外周側部分に対して他部材を介さずに、一方の前記保護層の表面から、前記一対の保護層及び前記波長変換層の外周縁部を辿って、他方の前記保護層の表面まで覆っている照明装置。
【請求項２】
前記呈色部材は、前記波長変換部材の前記蛍光体にて波長変換された光の色の補色または補色の同系色の光の吸収率が、前記波長変換部材の前記蛍光体にて波長変換された光の色と同色または同系色の光の吸収率よりも高いものとされる請求項１記載の照明装置。
【請求項３】
前記光源は、青色の光を発するものとされており、
前記波長変換部材は、前記蛍光体として、前記青色の光を緑色の光に波長変換する緑色蛍光体及び前記青色の光を赤色の光に波長変換する赤色蛍光体と、前記青色の光を黄色の光に波長変換する黄色蛍光体と、の少なくともいずれか一方を含有しており、
前記呈色部材は、黄色またはその同系色を呈するものとされる請求項１または請求項２記載の照明装置。
【請求項４】
光源と、
前記光源に対してその発光面側とは反対側に配される底部を有し前記光源を収容するシャーシと、
前記光源の前記発光面と対向状をなす形でその出光側に離れて配され前記光源からの光を波長変換する蛍光体を含有する波長変換部材と、
前記光源からの光を前記波長変換部材側に反射する反射部材であって、前記底部に倣う形で配される底側反射部と、前記底側反射部から前記波長変換部材側に向けて立ち上がる立ち上がり反射部と、を少なくとも有する反射部材と、
前記波長変換部材の外周側部分の少なくとも一部に取り付けられて前記波長変換部材の前記蛍光体にて波長変換された光の色の補色または補色の同系色を呈する呈色部材と、を備え、
前記波長変換部材は波長変換層を一対の保護層で挟んでなる構成を有し、
前記呈色部材は、前記一対の保護層の外周側部分に対して他部材を介さずに、一方の前記保護層の表面から、前記一対の保護層及び前記波長変換層の外周縁部を辿って、他方の前記保護層の表面まで覆っている照明装置。
【請求項５】
前記呈色部材は、前記波長変換部材の前記蛍光体にて波長変換された光と同色または同系色の光の吸収率が、前記波長変換部材の前記蛍光体にて波長変換された光の色の補色または補色の同系色の光の吸収率よりも高いものとされる請求項４記載の照明装置。
【請求項６】
前記光源は、青色の光を発するものとされており、
前記波長変換部材は、前記蛍光体として、前記青色の光を緑色の光に波長変換する緑色蛍光体及び前記青色の光を赤色の光に波長変換する赤色蛍光体と、前記青色の光を黄色の光に波長変換する黄色蛍光体と、の少なくともいずれか一方を含有しており、
前記呈色部材は、青色またはその同系色を呈するものとされる請求項４または請求項５記載の照明装置。
【請求項７】
前記波長変換部材を位置決めする位置決め部を有し前記波長変換部材を支持する支持部材が備えられており、
前記呈色部材は、前記波長変換部材の外周側部分から部分的に突出して前記位置決め部に当接される被位置決め突部を有する構成とされる請求項１から請求項６のいずれか１項に記載の照明装置。
【請求項８】
前記波長変換部材は、前記蛍光体として量子ドット蛍光体を含有する請求項１から請求項７のいずれか１項に記載の照明装置。
【請求項９】
請求項１から請求項８のいずれか１項に記載の照明装置と、前記照明装置から照射される光を利用して画像を表示する表示パネルと、を備える表示装置。
【請求項１０】
請求項９記載の表示装置を備えるテレビ受信装置。
【発明の詳細な説明】
【技術分野】
【０００１】
本発明は、照明装置、表示装置、及びテレビ受信装置に関する。
【背景技術】
【０００２】
従来の液晶表示装置の一例として下記特許文献１に記載されたものが知られている。この特許文献１に記載された液晶表示装置は、液晶パネルと、液晶パネルに光を照射するディスプレイバックライトユニットと、を備える。ディスプレイバックライトユニットは、一次光源と、一次光源によって放出される一次光を導光する導光板と、導光板によって導光された一次光によって励起されて二次光を放出するＱＤ蛍光体材料を含むリモート蛍光体フィルムと、を備える。
【先行技術文献】
【特許文献】
【０００３】
【特許文献１】特表２０１３−５４４０１８号公報
【発明の概要】
【発明が解決しようとする課題】
【０００４】
上記した特許文献１に記載されたようなリモート蛍光体フィルムを、いわゆるエッジライト型のバックライト装置に用いることを検討した場合、次のような問題が生じることが懸念される。すなわち、エッジライト型バックライトは、光源と、光源からの光を導光する導光板と、を備えており、このうちの導光板は、光源からの光が直接入射される入光端面と、光源からの光が直接入射されない非入光端面と、光を出射させる出光板面と、を有している。導光板の出光板面から出射した光は、その全てがリモート蛍光体フィルムにより波長変換されてそのままディスプレイバックライトユニットの出射光として利用されるとは限らず、再帰反射されて導光板側に戻された後にディスプレイバックライトユニットの出射光として利用される場合もある。この再帰反射光は、ディスプレイバックライトユニットにおける中央側よりも外周側の方が再帰反射回数が少なくなりがちとされるため、リモート蛍光体フィルムを通過する回数が少なくなり、波長変換される確率が低いものとされる。このため、エッジライト型バックライト装置における外周側では、中央側に比べると、出射光が光源の光の色と同色または同系色に色付き易いものとなっていた。
【０００５】
一方、上記した特許文献１に記載されたようなリモート蛍光体フィルムを、いわゆる直下型のバックライト装置に用いることを検討した場合、次のような問題が生じることが懸念される。すなわち、直下型バックライトは、液晶パネルの直下位置に多数の光源が並んで配置されるとともに、多数の光源からの光を反射する擂鉢状をなす反射シートを備える構成となっている。ここで、反射シートにて反射された光は、そのままディスプレイバックライトユニットの出射光として利用されるとは限らず、再帰反射されて反射シート側に戻された後にディスプレイバックライトユニットの出射光として利用される場合もある。この再帰反射光は、擂鉢状をなす反射シートの外周側では光路長が短いため、中央側よりも外周側の方が再帰反射回数、つまりリモート蛍光体フィルムを通過する回数が多くなり、波長変換される確率が高いものとされる。また、バックライト装置内に存在する光源の光（一次光）に係る光量は、中央側で多く、外周側で少ない、といった分布となり易い。このため、直下型バックライト装置における外周側では、中央側に比べると、出射光がリモート蛍光体フィルムの蛍光体により波長変換される光の色と同色または同系色に色付き易いものとなっていた。
【０００６】
以上のように、リモート蛍光体フィルムを用いたバックライト装置においては、中央側と外周側とで出射光の色味が異なって見える色ムラが生じることが懸念されていた。
【０００７】
本発明は上記のような事情に基づいて完成されたものであって、色ムラの発生を抑制することを目的とする。
【課題を解決するための手段】
【０００８】
本発明の第１の照明装置は、光源と、外周端面の少なくとも一部であって前記光源からの光が入射される入光端面と、一対の板面のいずれかであって光を出射させる出光板面と、を有する導光板と、前記導光板の前記出光板面に重なる形で配され前記光源からの光を波長変換する蛍光体を含有する波長変換部材と、前記波長変換部材の外周側部分の少なくとも一部に取り付けられて前記波長変換部材の前記蛍光体にて波長変換された光の色と同色または同系色を呈する呈色部材と、を備える。
【０００９】
このようにすれば、光源から発せられた光は、導光板の外周端面のうちの入光端面に入射されて導光板内を伝播された後に出光板面から出射される。出光板面から出射された光は、出光板面に重ねられる波長変換部材に含有される蛍光体によって波長変換される。ここで、導光板の出光板面から出射した光は、その全てが波長変換部材により波長変換されてそのまま当該照明装置の出射光として利用されるとは限らず、再帰反射されて導光板側に戻されるなどした後に当該照明装置の出射光として利用される場合もある。この再帰反射光は、当該照明装置における中央側よりも外周側の方が再帰反射回数が少なくなりがちとされるため、波長変換部材を通過する回数が少なくなり、波長変換される確率が低いものとされる。また、導光板内を伝播する光は、その全てが出光板面から出射するとは限らず、一部については導光板の外周端面から出射し得るものとされる。
【００１０】
その点、波長変換部材の外周側部分の少なくとも一部には、波長変換部材の蛍光体にて波長変換された光の色と同色または同系色を呈する呈色部材が取り付けられているから、当該照明装置の外周側に存在する再帰反射回数が少ない再帰反射光や導光板の外周端面から出射した光が、呈色部材によって波長変換部材の蛍光体にて波長変換された光の色と同色または同系色を呈するよう色付けられることになる。これにより、当該照明装置の中央側と外周側とで出射光の色味に差が生じ難いものとなり、もって色ムラを好適に抑制することができる。
【００１１】
本発明の第１の照明装置の実施態様として、次の構成が好ましい。
（１）前記呈色部材は、前記波長変換部材の前記蛍光体にて波長変換された光の色の補色または補色の同系色の光の吸収率が、前記波長変換部材の前記蛍光体にて波長変換された光の色と同色または同系色の光の吸収率よりも高いものとされる。このようにすれば、当該照明装置の外周側に存在する再帰反射回数が少ない再帰反射光や導光板の外周端面から出射した光のうち、波長変換部材の蛍光体にて波長変換された光の色の補色または補色の同系色の光は、波長変換部材の蛍光体にて波長変換された光と同色または同系色の光よりも呈色部材によって相対的に多く吸収されることになる。これにより、当該照明装置の外周側に存在する再帰反射回数が少ない再帰反射光や導光板の外周端面から出射した光を、波長変換部材の蛍光体にて波長変換された光の色と同色または同系色を呈するよう色付けることができる。
【００１２】
（２）前記光源は、青色の光を発するものとされており、前記波長変換部材は、前記蛍光体として、前記青色の光を緑色の光に波長変換する緑色蛍光体及び前記青色の光を赤色の光に波長変換する赤色蛍光体と、前記青色の光を黄色の光に波長変換する黄色蛍光体と、の少なくともいずれか一方を含有しており、前記呈色部材は、黄色またはその同系色を呈するものとされる。このようにすれば、光源から発せられた青色の光は、波長変換部材に緑色蛍光体及び赤色蛍光体が含有される場合は緑色の光及び赤色の光に、黄色蛍光体が含有される場合は黄色の光に、波長変換される。ここで、当該照明装置の外周側に存在する再帰反射回数が少ない再帰反射光や導光板の外周端面から出射した光には、光源の青色の光と同色または同系色の光が多く含まれているため、その光が仮にそのまま当該照明装置の出射光に含まれると、その出射光が外周側では中央側よりも青色味を帯びるおそれがある。その点、当該照明装置の外周側に存在する再帰反射回数が少ない再帰反射光や導光板の外周端面から出射した光は、呈色部材によって波長変換部材の蛍光体にて波長変換された光の色と同色または同系色となる色、つまり黄色またはその同系色を呈するよう色付けられるので、当該照明装置の外周側からの出射光における青色または青色と同系色の光の比率を低下させることができ、もって色ムラを好適に抑制することができる。
【００１３】
（３）前記導光板及び前記波長変換部材の外周端部をそれぞれ支持する枠状部を有するフレームが備えられており、前記呈色部材は、その内端位置が前記枠状部の内端位置よりも内寄りになるよう配されている。このようにすれば、フレームの枠状部によって導光板及び波長変換部材の外周端部がそれぞれ支持される。波長変換部材の外周側部分の少なくとも一部に取り付けられた呈色部材は、その内端位置が枠状部の内端位置よりも内寄りになるよう配されているので、呈色部材によって色付けられた光または色付けられる光が、フレームの枠状部によって妨げられ難いものとなる。従って、色ムラの抑制を図る上でより好適となる。
【００１４】
本発明の第２の照明装置は、光源と、前記光源に対してその発光面側とは反対側に配される底部を有し前記光源を収容するシャーシと、前記光源の前記発光面と対向状をなす形でその出光側に離れて配され前記光源からの光を波長変換する蛍光体を含有する波長変換部材と、前記光源からの光を前記波長変換部材側に反射する反射部材であって、前記底部に倣う形で配される底側反射部と、前記底側反射部から前記波長変換部材側に向けて立ち上がる立ち上がり反射部と、を少なくとも有する反射部材と、前記波長変換部材の外周側部分の少なくとも一部に取り付けられて前記波長変換部材の前記蛍光体にて波長変換された光の色の補色または補色の同系色を呈する呈色部材と、を備える。
【００１５】
このようにすれば、光源から発せられた光は、反射部材を構成する底側反射部及び立ち上がり反射部により反射されるなどして光源の発光面と対向状をなす形でその出光側に離れて配される波長変換部材に含有される蛍光体によって波長変換されて出射される。ここで、波長変換部材を透過した光は、その全てがそのまま当該照明装置の出射光として利用されるとは限らず、再帰反射されて反射部材側に戻されるなどした後に当該照明装置の出射光として利用される場合もある。この再帰反射光は、当該照明装置のうち反射部材の底側反射部が配される中央側よりも立ち上がり反射部が配される外周側の方が再帰反射回数が多くなりがちとされるため、波長変換部材を通過する回数が多くなり、波長変換される確率が高いものとされる。また、シャーシ内に存在する光源の発光光に係る光量は、中央側で多く、外周側で少なくなる分布となりがちとされる。
【００１６】
その点、波長変換部材の外周側部分の少なくとも一部には、波長変換部材の蛍光体にて波長変換された光の色の補色または補色の同系色を呈する呈色部材が取り付けられているから、当該照明装置の外周側に存在する再帰反射回数が多い再帰反射光が、呈色部材によって波長変換部材の蛍光体にて波長変換される光の色の補色または補色の同系色を呈するよう色付けられることになる。これにより、当該照明装置の外周側において光源の発光光に係る光量が中央側よりも少なくなっていても、当該照明装置の中央側と外周側とで出射光の色味に差が生じ難いものとなり、もって色ムラを好適に抑制することができる。
【００１７】
本発明の第２の照明装置の実施態様として、次の構成が好ましい。
（１）前記呈色部材は、前記波長変換部材の前記蛍光体にて波長変換された光と同色または同系色の光の吸収率が、前記波長変換部材の前記蛍光体にて波長変換された光の色の補色または補色の同系色の光の吸収率よりも高いものとされる。このようにすれば、当該照明装置の外周側に存在する再帰反射回数が多い再帰反射光のうち、波長変換部材の蛍光体にて波長変換された光の色と同色または同系色の光は、波長変換部材の蛍光体にて波長変換された光の補色または補色の同系色の光よりも呈色部材によって相対的に多く吸収されることになる。これにより、当該照明装置の外周側に存在する再帰反射回数が多い再帰反射光を、波長変換部材の蛍光体にて波長変換された光の色の補色または補色の同系色を呈するよう色付けることができる。
【００１８】
（２）前記光源は、青色の光を発するものとされており、前記波長変換部材は、前記蛍光体として、前記青色の光を緑色の光に波長変換する緑色蛍光体及び前記青色の光を赤色の光に波長変換する赤色蛍光体と、前記青色の光を黄色の光に波長変換する黄色蛍光体と、の少なくともいずれか一方を含有しており、前記呈色部材は、青色またはその同系色を呈するものとされる。このようにすれば、光源から発せられた青色の光は、波長変換部材に緑色蛍光体及び赤色蛍光体が含有される場合は緑色の光及び赤色の光に、黄色蛍光体が含有される場合は黄色の光に、波長変換される。ここで、当該照明装置の外周側に存在する再帰反射回数が多い再帰反射光には、光源の青色の光の補色または補色の同系色の光が多く含まれているため、その光が仮にそのまま当該照明装置の出射光に含まれると、その出射光が外周側では中央側よりも黄色味を帯びるおそれがある。その点、当該照明装置の外周側に存在する再帰反射回数が少ない再帰反射光は、呈色部材によって波長変換部材の蛍光体にて波長変換された光の色の補色または補色の同系色となる色、つまり青色またはその同系色を呈するよう色付けられるので、当該照明装置の外周側からの出射光における黄色または黄色の同系色の光の比率を低下させることができ、もって色ムラを好適に抑制することができる。
【００１９】
（３）前記呈色部材は、前記立ち上がり反射部と重畳するよう配されている。このようにすれば、波長変換部材の外周側部分の少なくとも一部に取り付けられた呈色部材は、反射部材の立ち上がり反射部と重畳するよう配されているので、立ち上がり反射部により波長変換部材側に反射された光を呈色部材によって効率的に色付けることができる。従って、色ムラの抑制を図る上でより好適となる。
【００２０】
本発明の第１の照明装置または第２の照明装置の実施態様として、次の構成が好ましい。
（１）前記呈色部材は、前記波長変換部材の外周側部分の全周にわたって延在する形で取り付けられている。このようにすれば、波長変換部材の外周側部分の全周にわたって延在する呈色部材によって当該照明装置の外周側に存在する光を万遍なく色付けることができる。従って、色ムラの抑制を図る上でより好適となる。
【００２１】
（２）前記波長変換部材は、前記蛍光体を含有する波長変換層と、前記波長変換層を挟み込んでこれを保護する一対の保護層と、から構成されており、前記呈色部材は、前記波長変換層及び前記一対の保護層の外周縁部を一括して挟み込む形で取り付けられている。このようにすれば、波長変換部材の外周側部分の全周にわたって延在する呈色部材によって波長変換層が封止されるので、波長変換層に含有される蛍光体が吸湿などにより劣化し難いものとなる。
【００２２】
（３）前記波長変換部材を位置決めする位置決め部を有し前記波長変換部材を支持する支持部材が備えられており、前記呈色部材は、前記波長変換部材の外周側部分から部分的に突出して前記位置決め部に当接される被位置決め突部を有する構成とされる。このようにすれば、波長変換部材は、支持部材によって支持されるとともに、波長変換部材の外周側部分から部分的に突出する呈色部材の被位置決め突部が支持部材の位置決め部に当接されることで、位置決めが図られる。つまり、波長変換部材の外周側部分の少なくとも一部に取り付けられる呈色部材を利用して波長変換部材を位置決めしているので、波長変換部材自身に位置決め構造を直接設ける必要がないものとされる。これにより、波長変換部材として汎用的なものを用いることができてコストの低廉化を図る上で好適となる。
【００２３】
（４）前記波長変換部材は、前記蛍光体として量子ドット蛍光体を含有する。このようにすれば、波長変換部材による光の波長変換効率がより高いものとなるとともに、波長変換された光の色純度が高いものとなる。
【００２４】
次に、上記課題を解決するために、本発明の表示装置は、上記記載のいずれかの照明装置と、前記照明装置から照射される光を利用して画像を表示する表示パネルと、を備える表示装置。このような構成の表示装置によれば、照明装置の出射光が色ムラの発生が抑制されたものとなっているから、表示品位に優れた表示を実現することができる。
【００２５】
さらには、上記課題を解決するために、本発明のテレビ受信装置は、上記記載の表示装置を備えるテレビ受信装置。このようなテレビ受信装置によれば、表示装置の表示品位が優れたものとされているから、表示品位に優れたテレビ画像の表示を実現することができる。
【発明の効果】
【００２６】
本発明によれば、色ムラの発生を抑制することができる。
【図面の簡単な説明】
【００２７】
【図１】本発明の実施形態１に係るテレビ受信装置の概略構成を示す分解斜視図
【図２】テレビ受信装置が備える液晶表示装置の概略構成を示す分解斜視図
【図３】液晶表示装置が備えるバックライト装置の平面図
【図４】図３のiv-iv線断面図
【図５】図３のv-v線断面図
【図６】ＬＥＤ及びＬＥＤ基板の断面図
【図７】波長変換シートの平面図
【図８】波長変換シートの端部の断面図
【図９】本発明の実施形態２に係るフレーム及び波長変換シートの平面図
【図１０】図９のx-x線断面図
【図１１】本発明の実施形態３に係る液晶表示装置の概略構成を示す分解斜視図
【図１２】液晶表示装置が備えるバックライト装置の平面図
【図１３】液晶表示装置を長辺方向に沿って切断した断面構成を示す断面図
【図１４】液晶表示装置を短辺方向に沿って切断した断面構成を示す断面図
【図１５】液晶表示装置の端部を拡大した断面図
【図１６】本発明の実施形態４に係る液晶表示装置を短辺方向に沿って切断した断面図
【図１７】ＬＥＤ及びＬＥＤ基板の断面図
【図１８】本発明の実施形態５に係る液晶表示装置の端部を拡大した断面図
【図１９】本発明の実施形態６に係る液晶表示装置を短辺方向に沿って切断した断面図
【図２０】本発明の実施形態７に係る液晶表示装置を短辺方向に沿って切断した断面図
【図２１】本発明の実施形態８に係る波長変換シートの平面図
【図２２】本発明の実施形態９に係る波長変換シートの平面図
【図２３】本発明の実施形態１０に係る波長変換シートの平面図
【発明を実施するための形態】
【００２８】
＜実施形態１＞
本発明の実施形態１を図１から図８によって説明する。本実施形態では、バックライト装置１２及びそれを用いた液晶表示装置１０について例示する。なお、各図面の一部にはＸ軸、Ｙ軸及びＺ軸を示しており、各軸方向が各図面で示した方向となるように描かれている。また、図４及び図５などに示す上側を表側とし、同図下側を裏側とする。
【００２９】
本実施形態に係るテレビ受信装置１０ＴＶは、図１に示すように、液晶表示装置１０と、当該液晶表示装置１０を挟むようにして収容する表裏両キャビネット１０Ｃａ，１０Ｃｂと、電源１０Ｐと、テレビ信号を受信するチューナー（受信部）１０Ｔと、スタンド１０Ｓと、を備えて構成される。液晶表示装置（表示装置）１０は、全体として横長（長手）の方形状（矩形状）をなし、縦置き状態で収容されている。この液晶表示装置１０は、図２に示すように、画像を表示する表示パネルである液晶パネル１１と、液晶パネル１１に表示のための光を供給する外部光源であるバックライト装置（照明装置）１２と、を備え、これらが枠状のベゼル１３などにより一体的に保持されるようになっている。
【００３０】
次に、液晶表示装置１０を構成する液晶パネル１１及びバックライト装置１２について順次に説明する。このうち、液晶パネル（表示パネル）１１は、平面に視て横長な方形状をなしており、一対のガラス基板が所定のギャップを隔てた状態で貼り合わせられるとともに、両ガラス基板間に電界印加に伴って光学特性が変化する物質である液晶分子を含む液晶層（図示せず）が封入された構成とされる。一方のガラス基板（アレイ基板、アクティブマトリクス基板）の内面側には、互いに直交するソース配線とゲート配線とに接続されたスイッチング素子（例えばＴＦＴ）と、ソース配線とゲート配線とに囲まれた方形状の領域に配されてスイッチング素子に接続される画素電極と、がマトリクス状に平面配置される他、配向膜等が設けられている。他方のガラス基板（対向基板、ＣＦ基板）の内面側には、Ｒ（赤色），Ｇ（緑色），Ｂ（青色）等の各着色部が所定配列でマトリクス状に平面配置されたカラーフィルタが設けられる他、各着色部間に配されて格子状をなす遮光層（ブラックマトリクス）、画素電極と対向状をなすベタ状の対向電極、配向膜等が設けられている。なお、両ガラス基板の外面側には、それぞれ偏光板が配されている。また、液晶パネル１１における長辺方向がＸ軸方向と一致し、短辺方向がＹ軸方向と一致し、さらに厚さ方向がＺ軸方向と一致している。
【００３１】
バックライト装置１２は、図２に示すように、表側（液晶パネル１１側）に向けて開口する光出射部１４ｂを有した略箱型をなすシャーシ１４と、シャーシ１４の光出射部１４ｂを覆う形で配される光学部材（光学シート）１５と、を備える。さらに、シャーシ１４内には、光源であるＬＥＤ１７と、ＬＥＤ１７が実装されたＬＥＤ基板１８と、ＬＥＤ１７からの光を導光して光学部材１５（液晶パネル１１）へと導く導光板１９と、導光板１９などを表側から押さえるフレーム（支持部材）１６と、が備えられる。そして、このバックライト装置１２は、その長辺側の一対の端部のうちの一方（図２及び図３に示す手前側、図４に示す左側）の端部に、ＬＥＤ基板１８が配されており、そのＬＥＤ基板１８に実装された各ＬＥＤ１７が液晶パネル１１における長辺側の一端部寄りに偏在していることになる。このように、本実施形態に係るバックライト装置１２は、ＬＥＤ１７の光が導光板１９に対して片側からのみ入光される片側入光タイプのエッジライト型（サイドライト型）とされている。続いて、バックライト装置１２の各構成部品について詳しく説明する。
【００３２】
シャーシ１４は、金属製とされ、図２及び図３に示すように、液晶パネル１１と同様に横長の方形状をなす底部１４ａと、底部１４ａの各辺の外端からそれぞれ立ち上がる側部１４ｃと、からなり、全体としては表側に向けて開口した浅い略箱型をなしている。シャーシ１４（底部１４ａ）は、その長辺方向がＸ軸方向（水平方向）と一致し、短辺方向がＹ軸方向（鉛直方向）と一致している。また、側部１４ｃには、フレーム１６及びベゼル１３が固定可能とされる。
【００３３】
光学部材１５は、図２に示すように、液晶パネル１１及びシャーシ１４と同様に平面に視て横長の方形状をなしている。光学部材１５は、シャーシ１４の光出射部１４ｂを覆うとともに、液晶パネル１１と導光板１９との間に介在する形で配されている。光学部材１５は、シート状をなしていて合計で４枚が備えられている。具体的には、光学部材１５は、ＬＥＤ１７から発せられた光（一次光）を他の波長の光（二次光）へと波長変換する波長変換シート（波長変換部材）２０と、光に等方性集光作用を付与するマイクロレンズシート２１と、光に異方性集光作用を付与するプリズムシート２２と、光を偏光反射する反射型偏光シート２３と、から構成される。光学部材１５は、図４及び図５に示すように、裏側から波長変換シート２０、マイクロレンズシート２１、プリズムシート２２、及び反射型偏光シート２３の順で相互に積層されてそれらの外縁部がフレーム１６に対してその表側に載せられている。つまり、光学部材１５を構成する波長変換シート２０、マイクロレンズシート２１、プリズムシート２２、及び反射型偏光シート２３は、導光板１９に対して表側、つまり光出射側にフレーム１６（詳しくは後述する枠状部１６ａ）分の間隔を空けて対向状をなしている。なお、波長変換シート２０の具体的な構成に関しては、後に改めて詳しく説明する。
【００３４】
マイクロレンズシート２１は、基材と、基材における表側の板面に設けられるマイクロレンズ部と、を有しており、このうちのマイクロレンズ部が、Ｘ軸方向及びＹ軸方向に沿って多数ずつマトリクス状（行列状）に並ぶ形で平面配置される単位マイクロレンズから構成されている。単位マイクロレンズは、平面に視て略円形をなすとともに全体として略半球状をなす凸レンズとされる。このような構成により、マイクロレンズシート２１は、光に対し、Ｘ軸方向及びＹ軸方向について等方的に集光作用（異方性集光作用）を付与するものとされる。プリズムシート２２は、基材と、基材における表側の板面に設けられるプリズム部と、を有しており、このうちのプリズム部が、Ｘ軸方向に沿って延在するとともにＹ軸方向に沿って多数並んで配される単位プリズムから構成されている。単位プリズムは、平面に視てＸ軸方向に並行するレール状（線状）をなすとともにＹ軸方向に沿った断面形状が略二等辺三角形状とされる。このような構成により、プリズムシート２２は、光に対し、Ｙ軸方向（単位プリズムの並び方向、単位プリズムの延在方向と直交する方向）について選択的に集光作用（異方性集光作用）を付与するものとされる。反射型偏光シート２３は、光を偏光反射する反射型偏光フィルムと、反射型偏光フィルムを表裏から挟み込む一対の拡散フィルムと、から構成される。反射型偏光フィルムは、例えば屈折率の互いに異なる層を交互に積層した多層構造を有しており、光に含まれるｐ波を透過させ、ｓ波を裏側へ反射させる構成となっている。反射型偏光フィルムによって反射されたｓ波は、後述する第２反射シート２５などによって、再度表側に反射され、その際に、ｓ波とｐ波に分離する。このように、反射型偏光シート２３は、反射型偏光フィルムを備えることで、本来ならば、液晶パネル１１の偏光板によって吸収されるｓ波を、裏側（第２反射シート２５側）へ反射させることで再利用することができ、光の利用効率（ひいては輝度）を高めることができる。一対の拡散フィルムは、ポリカーボネートなどの合成樹脂材料からなり、反射型偏光フィルム側とは反対側の板面にエンボス加工が施されることで、光に拡散作用を付与するものとされる。
【００３５】
フレーム１６は、図２に示すように、導光板１９及び光学部材１５の外周縁部に沿って延在する横長の枠状部（額縁状部、枠状支持部）１６ａを有しており、その枠状部１６ａにより導光板１９の外周縁部をほぼ全周にわたって表側から押さえて支持するものとされる。この枠状部１６ａのうち一方の長辺部における裏側の面、つまり導光板１９及びＬＥＤ基板１８（ＬＥＤ１７）との対向面には、図４に示すように、光を反射する第１反射シート（フレーム側反射シート）２４が取り付けられている。第１反射シート２４は、表面が光の反射性に優れた白色を呈するとともに、枠状部１６ａの一方の長辺部におけるほぼ全長にわたって延在する大きさを有しており、導光板１９におけるＬＥＤ１７側の端部に直接当接されて導光板１９の上記端部とＬＥＤ基板１８とを一括して表側から覆うものとされる。フレーム１６の枠状部１６ａは、光学部材１５（波長変換シート２０）と導光板１９との間に介在するとともに、光学部材１５の外周縁部を裏側から受けて支持するものとされ、それにより光学部材１５が導光板１９との間に枠状部１６ａ分の間隔を空けた位置に保たれる。また、フレーム１６の枠状部１６ａのうち、第１反射シート２４が設置された一長辺部を除く３つの辺部における裏側（導光板１９側）の面には、例えばポロン（登録商標）などからなる緩衝材２６が設けられている。さらには、フレーム１６は、枠状部１６ａから表側に向けて突出するとともに、液晶パネル１１における外周縁部を裏側から支持する液晶パネル支持部１６ｂを有している。
【００３６】
次に、ＬＥＤ１７及びＬＥＤ１７が実装されるＬＥＤ基板１８について説明する。ＬＥＤ１７は、図３及び図４に示すように、ＬＥＤ基板１８上に表面実装されるとともにその発光面１７ａがＬＥＤ基板１８側とは反対側を向いた、いわゆる頂面発光型とされている。このＬＥＤ１７は、青色の単色光を発する青色ＬＥＤとされている。そして、ＬＥＤ１７から発せられた青色の光は、その一部が詳しくは後述する波長変換シート２０によって緑色の光や赤色の光に波長変換されるようになっており、これら波長変換された緑色の光及び赤色の光（二次光）と、ＬＥＤ１７の青色の光（一次光）と、の加法混色によりバックライト装置１２の出射光が概ね白色を呈するものとされる。
【００３７】
詳しくは、ＬＥＤ１７は、図６に示すように、発光源である青色ＬＥＤ素子（青色発光素子、青色ＬＥＤチップ）２７と、青色ＬＥＤ素子２７を封止する封止材２８と、青色ＬＥＤ素子２７が収容されるとともに封止材２８が充填されるケース（収容体、筐体）２９と、を備える。青色ＬＥＤ素子２７は、例えばＩｎＧａＮなどの半導体材料からなる半導体であり、順方向に電圧が印加されることで青色の波長領域（約４２０ｎｍ〜約５００ｎｍ）に含まれる波長の青色の単色光を発光するものとされる。つまり、ＬＥＤ１７の発光光は、この青色ＬＥＤ素子２７の発光光と同色の単色光とされる。この青色ＬＥＤ素子２７は、図示しないリードフレームによってケース２９外に配されたＬＥＤ基板１８における配線パターンに接続される。封止材２８は、ＬＥＤ１７の製造工程では青色ＬＥＤ素子２７が収容されたケース２９の内部空間に充填されることで、青色ＬＥＤ素子２７及びリードフレームを封止するとともにこれらの保護を図るものとされる。封止材２８は、ほぼ透明な熱硬化性樹脂材料（例えば、エポキシ樹脂材料、シリコーン樹脂材料など）からなるものとされ、それにより青色ＬＥＤ素子２７から発せられた青色の単色光がそのままＬＥＤ１７の発光光となるものとされる。ケース２９は、表面が光の反射性に優れた白色を呈する合成樹脂材料（例えばポリアミド系樹脂材料）またはセラミック材料からなる。ケース２９は、全体として発光面１７ａ側が開口した有底筒型をなしており、その底面に青色ＬＥＤ素子２７が配置されるとともに、周壁を上記リードフレームが貫通されることで青色ＬＥＤ素子２７がＬＥＤ基板１８の配線パターンに接続されている。
【００３８】
ＬＥＤ基板１８は、図３及び図４に示すように、シャーシ１４の長辺方向（Ｘ軸方向、導光板１９における入光端面１９ｂの長手方向）に沿って延在する細長い板状をなすとともに、その板面をＸ軸方向及びＺ軸方向に並行した姿勢、つまり液晶パネル１１及び導光板１９（光学部材１５）の板面と直交させた姿勢でシャーシ１４内に収容されている。すなわち、このＬＥＤ基板１８は、板面における長辺方向（長さ方向）がＸ軸方向と、短辺方向（幅方向）がＺ軸方向と、それぞれ一致し、さらには板面と直交する板厚方向がＹ軸方向と一致した姿勢とされる。ＬＥＤ基板１８は、導光板１９とシャーシ１４における一方の長辺側の側部１４ｃとの間に介在するよう配され、シャーシ１４に対してはＺ軸方向に沿って表側から収容されるようになっている。ＬＥＤ基板１８は、ＬＥＤ１７が実装される実装面１８ａとは反対側の板面がシャーシ１４における長辺側の側部１４ｃの内面に接する形でそれぞれ取り付けられている。従って、ＬＥＤ基板１８に実装された各ＬＥＤ１７の発光面１７ａが、後述する導光板１９の長辺側の端面（入光端面１９ｂ）と対向状をなすとともに、各ＬＥＤ１７における光軸、つまり発光強度が最も高い光の進行方向がＹ軸方向（液晶パネル１１の板面に並行する方向、ＬＥＤ１７と導光板１９との並び方向、入光端面１９ｂの法線方向）とほぼ一致する。
【００３９】
ＬＥＤ基板１８は、図３及び図４に示すように、その内側、つまり導光板１９側を向いた板面（導光板１９との対向面）が、上記した構成のＬＥＤ１７が表面実装された実装面１８ａとされる。ＬＥＤ１７は、ＬＥＤ基板１８の実装面１８ａにおいて、その長さ方向（Ｘ軸方向）に沿って複数が所定の間隔を空けつつ一列に（直線的に）並んで配置されている。つまり、ＬＥＤ１７は、バックライト装置１２における一方の長辺側の端部において長辺方向に沿って複数が間欠的に並んで配置されている、と言える。従って、ＬＥＤ１７の並び方向は、ＬＥＤ基板１８の長さ方向（Ｘ軸方向）と一致していることになる。Ｘ軸方向について隣り合うＬＥＤ１７間の間隔、つまりＬＥＤ１７の配列間隔（配列ピッチ）は、ほぼ等しいものとされており、別言するとＬＥＤ１７は等ピッチ配列されている、と言える。また、ＬＥＤ基板１８の実装面１８ａには、Ｘ軸方向に沿って延在するとともにＬＥＤ１７群を横切って隣り合うＬＥＤ１７同士を直列に接続する、金属膜（銅箔など）からなる配線パターン（図示せず）が形成されており、この配線パターンの端部に形成された端子部に対して図示しないＬＥＤ駆動回路基板が同じく図示しない配線部材などを介して電気的に接続されることで、各ＬＥＤ１７に駆動電力を供給することが可能とされる。このＬＥＤ基板１８は、板面の片面のみが実装面１８ａとされる片面実装タイプとされている。このＬＥＤ基板１８の基材は、例えばアルミニウムなどの金属製とされ、その表面に絶縁層を介して既述した配線パターン（図示せず）が形成されている。なお、ＬＥＤ基板１８の基材に用いる材料としては、合成樹脂やセラミックなどの絶縁材料を用いることも可能である。
【００４０】
導光板１９は、屈折率が空気よりも十分に高く且つほぼ透明な（透光性に優れた）合成樹脂材料（例えばＰＭＭＡなどのアクリル樹脂材料など）からなる。導光板１９は、図２及び図３に示すように、液晶パネル１１及びシャーシ１４と同様に平面に視て横長の方形状をなすとともに光学部材１５よりも厚みが大きな板状をなしており、その板面における長辺方向がＸ軸方向と、短辺方向がＹ軸方向とそれぞれ一致し、且つ板面と直交する板厚方向がＺ軸方向と一致している。導光板１９は、図４及び図５に示すように、シャーシ１４内において液晶パネル１１及び光学部材１５の直下位置に配されており、その外周端面のうちの一方（図２及び図３に示す手前側、図４に示す左側）の長辺側の端面がシャーシ１４における長辺側の一端部に配されたＬＥＤ基板１８の各ＬＥＤ１７とそれぞれ対向状をなしている。従って、ＬＥＤ１７（ＬＥＤ基板１８）と導光板１９との並び方向がＹ軸方向と一致するのに対して、光学部材１５（液晶パネル１１）と導光板１９との並び方向がＺ軸方向と一致しており、両並び方向が互いに直交するものとされる。そして、導光板１９は、ＬＥＤ１７からＹ軸方向に向けて発せられた光を導入するとともに、その光を内部で伝播させつつ光学部材１５側（表側）へ向くよう立ち上げて出射させる機能を有する。
【００４１】
導光板１９における一対の板面のうちの表側の板面が、図４及び図５に示すように、内部の光を光学部材１５及び液晶パネル１１に向けて出射させる出光板面（光出射面）１９ａとなっている。導光板１９における板面に対して隣り合う外周端面のうち、Ｘ軸方向（ＬＥＤ１７の並び方向、ＬＥＤ基板１８の長辺方向）に沿って長手状をなす長辺側の一対の端面のうち、一方（図２及び図３に示す手前側）の長辺側の端面は、ＬＥＤ１７（ＬＥＤ基板１８）と所定の空間を空けて対向状をなしており、これがＬＥＤ１７から発せられた光が直接的に入射される入光端面（光入射面）１９ｂとなっている。この入光端面１９ｂは、ＬＥＤ１７と対向状をなしていることから、「ＬＥＤ対向端面（光源対向端面）」であるとも言える。入光端面１９ｂは、Ｘ軸方向及びＺ軸方向に沿って並行する面とされ、出光板面１９ａに対して略直交する面とされる。これに対して、導光板１９の上記外周端面のうち、入光端面１９ｂを除いた部分（他方の長辺側の端面及び短辺側の一対の端面）が、ＬＥＤ１７から発せられた光が直接的に入射されることがない非入光端面１９ｄとされる。この非入光端面１９ｄは、ＬＥＤ１７と対向状をなしていないことから、「ＬＥＤ非対向端面（光源非対向端面）」であるとも言える。非入光端面１９ｄは、導光板１９の上記外周端面における長辺側の一対の端面のうちの他方の端面、つまり上記した入光端面１９ｂとは反対側の端面から構成される非入光反対端面１９ｄ１と、入光端面１９ｂ及び非入光反対端面１９ｄ１に対して隣り合う短辺側の一対の端面から構成される一対の非入光側端面１９ｄ２と、からなる。なお、本実施形態では、ＬＥＤ非対向端面のことを「非入光端面１９ｄ」として説明しているが、光が全く入射しないことまでを意味するものではなく、例えば非入光端面１９ｄから一旦外側に漏れ出した光が例えばシャーシ１４の側部１４ｃによって反射されて戻された場合にはその戻される光が非入光端面１９ｄに入射することもあり得る。
【００４２】
導光板１９における裏側、つまり出光板面１９ａとは反対側の反対板面１９ｃに対しては、第２反射シート（導光板側反射シート）２５が裏側に重なる形で配されている。第２反射シート２５は、表面が光の反射性に優れた白色を呈する合成樹脂製（例えば発泡ＰＥＴ製）とされていて、導光板１９内を伝播して反対板面１９ｃに達した光を反射することでその光を表側、つまり出光板面１９ａへ向かうよう立ち上げるものとされる。第２反射シート２５は、導光板１９の反対板面１９ｃをほぼ全域にわたって覆う形で配されている。第２反射シート２５は、平面に視てＬＥＤ基板１８（ＬＥＤ１７）と重畳する範囲にまで拡張されてその拡張部分と表側の第１反射シート２４との間でＬＥＤ基板１８（ＬＥＤ１７）を挟み込む形で配されている。これにより、ＬＥＤ１７からの光を両反射シート２４，２５間で繰り返し反射することで、入光端面１９ｂに対して効率的に入射させることができる。この導光板１９の反対板面１９ｃには、導光板１９内の光を出光板面１９ａに向けて反射させることで出光板面１９ａから出射を促すための光反射部からなる光反射パターン（図示せず）が形成されている。この光反射パターンを構成する光反射部は、多数の光反射ドットからなるものとされており、その分布密度が入光端面１９ｂ（ＬＥＤ１７）からの距離に応じて変化するものとされる。具体的には、光反射部を構成する光反射ドットの分布密度は、Ｙ軸方向について入光端面１９ｂから遠ざかるほど（非入光反対端面１９ｄ１に近づくほど）高くなり、逆に入光端面１９ｂに近づくほど（非入光反対端面１９ｄ１から遠ざかるほど）低くなる傾向にあり、それにより出光板面１９ａからの出射光が面内において均一な分布となるよう制御されている。
【００４３】
次に、波長変換シート２０に関して詳しく説明する。波長変換シート２０は、図４及び図５に示すように、その外周縁部が、フレーム１６の枠状部１６ａに対して表側から直接載せられている。波長変換シート２０は、図８に示すように、ＬＥＤ１７からの光を波長変換するための蛍光体（波長変換物質）を含有する波長変換層（蛍光体フィルム）２０ａと、波長変換層２０ａを表裏から挟み込んでこれを保護する一対の保護層（保護フィルム）２０ｂと、を少なくとも有している。波長変換層２０ａには、ＬＥＤ１７からの青色の単色光を励起光として、赤色の光（赤色に属する特定の波長領域の可視光線）を発する赤色蛍光体と、緑色（緑色に属する特定の波長領域の可視光線）の光を発する緑色蛍光体と、が分散配合されている。これにより、波長変換シート２０は、ＬＥＤ１７の発光光（青色の光、一次光）をその色味（青色）に対して補色となる色味（黄色）を呈する二次光（緑色の光及び赤色の光）に波長変換するものとされる。波長変換層２０ａは、ほぼ透明な合成樹脂製でフィルム状をなす基材（蛍光体担体）２０ａ１に、赤色蛍光体及び緑色蛍光体を分散配合した蛍光体層２０ａ２を塗布してなるものとされる。保護層２０ｂは、ほぼ透明な合成樹脂製でフィルム状をなしており、防湿性などに優れるものとされる。
【００４４】
より詳しくは、波長変換層２０ａに含有される各色の蛍光体は、いずれも励起光が青色の光とされており、次のような発光スペクトルを有している。すなわち、緑色蛍光体は、青色の光を励起光として、緑色に属する波長領域（約５００ｎｍ〜約５７０ｎｍ）の光、つまり緑色の光を蛍光光として発するものとされる。緑色蛍光体は、好ましくは、ピーク波長が緑色の光の波長範囲の中の約５３０ｎｍとされ且つ半値幅が４０ｎｍ未満とされる発光スペクトルを有する。赤色蛍光体は、青色の光を励起光として、赤色に属する波長領域（約６００ｎｍ〜約７８０ｎｍ）の光、つまり赤色の光を蛍光光として発するものとされる。赤色蛍光体は、好ましくは、ピーク波長が赤色の光の波長範囲の中の約６１０ｎｍとされ且つ半値幅が４０ｎｍ未満とされる発光スペクトルを有する。
【００４５】
このように、各色の蛍光体は、励起波長が蛍光波長よりも短波長とされるダウンコンバージョン型（ダウンシフティング型）とされている。このダウンコンバージョン型の蛍光体は、相対的に短波長で且つ高いエネルギーを持つ励起光を、相対的に長波長で且つ低いエネルギーを持つ蛍光光に変換するものとされる。従って、仮に励起波長が蛍光波長よりも長波長とされるアップコンバージョン型の蛍光体を用いた場合（量子効率が例えば２８％程度）に比べると、量子効率（光の変換効率）が３０％〜５０％程度と、より高いものとなっている。各色の蛍光体は、それぞれ量子ドット蛍光体（Quantum Dot Phosphor）とされる。量子ドット蛍光体は、ナノサイズ（例えば直径２ｎｍ〜１０ｎｍ程度）の半導体結晶中に電子・正孔や励起子を三次元空間全方位で閉じ込めることで、離散的エネルギー準位を有しており、そのドットのサイズを変えることで発光光のピーク波長（発光色）などを適宜に選択することが可能とされる。この量子ドット蛍光体の発光光（蛍光光）は、その発光スペクトルにおけるピークが急峻となってその半値幅が狭くなることから、色純度が極めて高くなるとともにその色域が広いものとなる。量子ドット蛍光体の材料としては、２価の陽イオンになるＺｎ、Ｃｄ、Ｈｇ、Ｐｂ等と２価の陰イオンになるＯ、Ｓ、Ｓｅ、Ｔｅ等とを組み合わせた材料（ＣｄＳｅ（セレン化カドミウム）、ＺｎＳ（硫化亜鉛）等）、３価の陽イオンとなるＧａ、Ｉｎ等と３価の陰イオンとなるＰ、Ａｓ、Ｓｂ等とを組み合わせた材料（ＩｎＰ（リン化インジウム）、ＧａＡｓ（ヒ化ガリウム）等）、さらにはカルコパイライト型化合物（ＣｕＩｎＳｅ2等）などがある。本実施形態では、量子ドット蛍光体の材料として、上記のうちのＣｄＳｅとＺｎＳとを併用している。また、本実施形態において用いる量子ドット蛍光体は、いわゆるコア・シェル型量子ドット蛍光体とされる。コア・シェル型量子ドット蛍光体は、量子ドットの周囲を、比較的バンドギャップの大きな半導体物質からなるシェルによって被覆した構成とされる。具体的には、コア・シェル型量子ドット蛍光体として、シグマ  アルドリッチ  ジャパン合同会社の製品である「Lumidot（登録商標）  ＣｄＳｅ／ＺｎＳ」を用いるのが好ましい。
【００４６】
ところで、本実施形態のようなエッジライト型のバックライト装置１２では、図４及び図５に示すように、導光板１９の出光板面１９ａから出射した光は、その全てが波長変換シート２０により波長変換されてそのままバックライト装置１２の出射光として利用されるとは限らず、再帰反射されて導光板１９側に戻されるなどした後にバックライト装置１２の出射光として利用される場合もある。この再帰反射光は、導光板１９の中央側よりも外周側の方が再帰反射回数、つまり波長変換シート２０の通過回数が少なくなりがちとされるため、波長変換される確率が低いものとされる。このため、導光板１９の外周側（非入光端面１９ｄを含む）から出射する再帰反射光は、導光板１９の中央側から出射する再帰反射光に比べてＬＥＤ１７の光の色味、つまり青色に近い色味となっている。また、導光板１９内を伝播する光の全てが出光板面１９ａから出射するとは限らず、非入光端面１９ｄからも出射され得るものとされる。特に、ＬＥＤ１７から発せられて導光板１９の入光端面１９ｂに入射されて導光板１９内を伝播され、そのまま非入光端面１９ｄから出射する光は、青色を呈するものとされる。従来では、導光板１９の外周側から出射した光は、波長変換シート２０によって波長変換され難いものとされていたため、その光が例えば緩衝材２６と導光板１９との間の隙間を通って外部に漏れ出すと、バックライト装置１２の出射光が外周側でのみ青色味を帯びたものとなるおそれがあった。このように、バックライト装置１２の出射光は、外周側と中央側とで色味に差が生じ易いものとなっていた。
【００４７】
そこで、本実施形態に係るバックライト装置１２では、図４及び図５に示すように、波長変換シート２０の外周側部分の少なくとも一部に、波長変換シート２０の蛍光体にて波長変換された光の色と同色または同系色を呈する呈色部材３０を取り付けるようにしている。このような構成によれば、バックライト装置１２の外周側に存在する再帰反射回数が少ない再帰反射光や導光板１９の外周端面から出射した光が、波長変換シート２０の外周側部分の少なくとも一部に取り付けられた呈色部材３０によって波長変換シート２０の蛍光体にて波長変換された光の色と同色または同系色を呈するよう色付けられることになる。これにより、バックライト装置１２の中央側と外周側とで出射光の色味に差が生じ難いものとなり、もって色ムラを好適に抑制することができる。
【００４８】
詳しくは、呈色部材３０は、波長変換シート２０に含有される緑色蛍光体及び赤色蛍光体により波長変換された緑色の光及び赤色の光、つまり黄色の光と同色である黄色を呈するのが好ましいものとされる。呈色部材３０が呈する色は、必ずしも黄色に限定されるものではなく、例えば黄色の同系色であってもよく、具体的には緑色がかった黄色（黄緑色）や赤色がかった黄色（橙色）などであっても構わない。なお、ここで言う「同系色」とは、「色相環において該当色（本実施形態では黄色）に隣り合う色や該当色に近い位置にある色」のことである。呈色部材３０は、例えば金属製の薄膜（アルミニウム製の薄膜など）の表面に黄色またはその同系色を呈する塗料（顔料または染料を含む）を塗布してなるものとされる。呈色部材３０に有されて黄色またはその同系色を呈する塗料は、波長変換シート２０にて波長変換された光の色である黄色の補色となる青色の光、つまりＬＥＤ１７の発光光（一次光）と同色となる光の吸収率が、波長変換シート２０にて波長変換された光の色である黄色またはその同系色の光の吸収率よりも相対的に高いものとされる。なお、ここで言う「補色」とは、「色相環において該当色の反対側に位置する色」のことであり、「反対色」とも言う。また、ここで言う「黄色の光」には、黄色に属する波長領域（約５７０ｎｍ〜約６００ｎｍ）の光が含まれるのは勿論のこと、緑色に属する波長領域の光（緑色蛍光体から発せられる緑色の光）と赤色に属する波長領域の光（赤色蛍光体から発せられる赤色の光）とを合成した光も含まれる。従って、呈色部材３０は、青色の光を相対的に多く吸収して黄色またはその同系色の光を相対的に多く出射させる波長選択性光吸収機能を有することで、光に黄色味を帯びさせることができる。
【００４９】
呈色部材３０は、図７に示すように、波長変換シート２０の外周側部分の全周にわたって延在する形で取り付けられており、全体として平面に視て波長変換シート２０の相似形となる横長の枠状（額縁状）をなしている。つまり、呈色部材３０は、波長変換シート２０の外周側部分のうち、導光板１９の非入光端面１９ｄに倣う部分（他方の長辺部及び一対の短辺部）と、導光板１９の入光端面１９ｂに倣う部分（一方の長辺部）と、に跨る形で取り付けられている。従って、導光板１９の外周端面のうちの非入光端面１９ｄから出射した青色味を帯びた光や入光端面１９ｂから出射した青色味を帯びた光を、呈色部材３０によって黄色またはその同系色を呈するよう色付ける、つまり呈色作用を付与することができる。このように、呈色部材３０は、バックライト装置１２の外周側に存在する青色味を帯びた光を全周にわたって万遍なく色付けることができるので、色ムラの抑制を図る上でより好適とされる。
【００５０】
その上で、呈色部材３０は、図８に示すように、波長変換シート２０を構成する波長変換層２０ａ及び一対の保護層２０ｂの外周縁部を一括して挟み込む形で取り付けられている。詳しくは、呈色部材３０は、一対の保護層２０ｂの外周縁部における外側の板面に対して外側に重なる一対の板面重なり部３０ａと、波長変換層２０ａ及び一対の保護層２０ｂの外周端面に対して外側に重なる端面重なり部３０ｂと、から構成されており、端面重なり部３０ｂの両端部に一対の板面重なり部３０ａが連ねられている。従って、波長変換シート２０は、蛍光体層２０ａ２を有する波長変換層２０ａにおける外周縁部が全周にわたって呈色部材３０によって封止されており、それにより蛍光体層２０ａ２に含有される各蛍光体が外気に直接曝されることが避けられている。これにより、蛍光体層２０ａ２に含有される各蛍光体が吸湿などにより性能劣化が生じ難いものとされるので、各蛍光体による光の波長変換機能が持続的に発揮されるようになっている。また、呈色部材３０を構成する一対の板面重なり部３０ａは、波長変換シート２０の外周側部分に対して表側（入光側）と、裏側（出光側）と、にそれぞれ重なる形で配されているので、導光板１９側から波長変換シート２０へ向かう光と、波長変換シート２０以外の光学部材１５側から波長変換シート２０へ向かう光と、にそれぞれ呈色作用を付与することができる。
【００５１】
また、呈色部材３０は、図４及び図５に示すように、その内周端位置が全周にわたってフレーム１６の枠状部１６ａの内周端位置よりも内寄りになるよう配されている。フレーム１６の枠状部１６ａは、導光板１９に対して表側に重ねられてその外周端部を押さえて支持していることから、枠状部１６ａの内周端が、導光板１９の出光板面１９ａにおける出射光の有効出射領域を画定するものとされる。従って、呈色部材３０は、枠状部１６ａよりも内側に張り出す内周側部分が、平面に視て導光板１９の出光板面１９ａにおける出射光の有効出射領域と重畳する配置とされている。このような構成によれば、導光板１９の出光板面１９ａからの出射光に対して呈色部材３０による呈色作用をより確実に付与することができ、もって色ムラの抑制を図る上でより好適とされる。
【００５２】
本実施形態は以上のような構造であり、続いてその作用を説明する。上記した構成の液晶表示装置１０の電源をＯＮすると、図示しないコントロール基板のパネル制御回路により液晶パネル１１の駆動が制御されるとともに、図示しないＬＥＤ駆動回路基板のＬＥＤ駆動回路からの駆動電力がＬＥＤ基板１８の各ＬＥＤ１７に供給されることでその駆動が制御される。各ＬＥＤ１７からの光は、導光板１９により導光されることで、光学部材１５を介して液晶パネル１１に照射され、もって液晶パネル１１に所定の画像が表示される。以下、バックライト装置１２に係る作用について詳しく説明する。
【００５３】
各ＬＥＤ１７を点灯させると、各ＬＥＤ１７から出射した光は、図４に示すように、導光板１９における入光端面１９ｂに入射する。ここで、ＬＥＤ１７と入光端面１９ｂとの間には、所定の空間が保有されているものの、その空間が表側の第１反射シート２４と裏側の第２反射シート２５の延長部分との間に挟み込まれているから、ＬＥＤ１７からの光は両反射シート２４，２５の対向部分により繰り返し反射されることで、効率的に入光端面１９ｂに入射される。入光端面１９ｂに入射した光は、導光板１９における外部の空気層との界面にて全反射されたり、第２反射シート２５により反射されるなどして導光板１９内を伝播されつつ、光反射パターンの光反射部にて散乱反射されることで、出光板面１９ａに対する入射角が臨界角を超えない光となって出光板面１９ａからの出射が促されるようになっている。導光板１９の出光板面１９ａを出射した光は、各光学部材１５を透過する過程でそれぞれ光学作用を付与された上で液晶パネル１１に対して照射されるのであるが、その一部については各光学部材１５にて再帰反射されることで導光板１９内に戻された後に再帰反射光として出光板面１９ａなどから出射してバックライト装置１２の出射光となる。
【００５４】
続いて、光学部材１５の光学作用について詳しく説明する。導光板１９の出光板面１９ａを出射した青色の光は、図４に示すように、出光板面１９ａに対して表側に間隔を空けて配される波長変換シート２０に含有される緑色蛍光体及び赤色蛍光体により緑色の光及び赤色の光（二次光）へと波長変換される。この波長変換された緑色の光及び赤色の光、つまり黄色の光（二次光）と、ＬＥＤ１７の青色の光（一次光）と、によって概ね白色の照明光が得られることになる。これらＬＥＤ１７の青色の光（一次光）と、波長変換された緑色の光及び赤色の光（二次光）と、は、マイクロレンズシート２１にてＸ軸方向及びＹ軸方向について等方的に集光作用（等方性集光作用）が付与された後に、プリズムシート２２にてＹ軸方向について選択的に集光作用（異方性集光作用）が付与される。その後、プリズムシート２２を出射した光は、反射型偏光シート２３にて特定の偏光光（ｐ波）が選択的に透過されて液晶パネル１１に向けて出射するのに対し、それとは異なる特定の偏光光（ｓ波）が選択的に裏側へと反射される。反射型偏光シート２３にて反射されたｓ波やプリズムシート２２及びマイクロレンズシート２１にて集光作用を付与されずに裏側へと反射された光などは、導光板１９内に戻されて導光板１９内を伝播する過程で第２反射シート２５にて再び反射されるなどして再び出光板面１９ａなどから表側へと出射されることになる。
【００５５】
ここで、導光板１９内を伝播する光には、図４及び図５に示すように、一旦出光板面１９ａから出射した後に再び導光板１９内に戻される再帰反射光が含まれているが、この再帰反射光は、導光板１９の中央側よりも外周側の方が再帰反射回数、つまり波長変換シート２０の通過回数が少なくなりがちとされるため、導光板１９の外周側（外周端面を含む）から出射する再帰反射光は、導光板１９の中央側から出射する再帰反射光に比べてＬＥＤ１７の青色の光（一次光）の色味に近い青色味を帯びたものとなっている。また、ＬＥＤ１７から発せられて導光板１９内を伝播する青色の光（一次光）は、その全てが出光板面１９ａから出射するとは限らず、一部については導光板１９の外周端面のうち非入光端面１９ｄからそのまま出射し得るものとされる。その点、本実施形態に係るバックライト装置１２は、波長変換シート２０の外周側部分に取り付けられた呈色部材３０が、波長変換シート２０の各蛍光体にて波長変換された光（二次光）と同色である黄色または黄色の同系色を呈するものとされているから、バックライト装置１２の外周側に存在する再帰反射回数が少なくて青色味を帯びた再帰反射光や導光板１９の外周端面から出射した青色味を帯びた光（一次光と同色または同系色の光）が、呈色部材３０によって黄色または黄色の同系色を呈するよう色付けられる。具体的には、呈色部材３０は、ＬＥＤ１７の光（一次光）と同色である青色の光に係る吸収率が、波長変換シート２０により波長変換された光（二次光）と同色である黄色または黄色の同系色の光に係る吸収率よりも高いものとされることで、バックライト装置１２の外周側に存在する再帰反射回数が少ない再帰反射光や導光板１９の外周端面から出射した光から青色の光をより多く吸収して黄色の光をより多く出射させている。このようにして呈色部材３０は、青色味を帯びた光を黄色または黄色の同系色に色付けて、結果として光の色味を白色に近い色味とすることができる。これにより、バックライト装置１２における外周側において出射光が青色味を帯び難く、中央側の出射光（ほぼ白色光）に近い色味となる。以上により、バックライト装置１２における中央側と外周側とで出射光の色味に差が生じ難くなり、出射光に色ムラが生じ難いものとされる。
【００５６】
しかも、呈色部材３０は、図７に示すように、波長変換シート２０の外周側部分の全周にわたって延在する形で取り付けられているから、バックライト装置１２の外周側に存在する光を万遍なく色付けることができる。従って、色ムラの抑制を図る上でより好適となる。さらには、波長変換シート２０の外周側部分の全周にわたって延在する呈色部材３０は、図８に示すように、波長変換シート２０を構成する波長変換層２０ａ及び一対の保護層２０ｂの外周縁部を一括して挟み込む形で取り付けられているから、波長変換層２０ａが全周にわたって封止されており、それにより波長変換層２０ａに含有される各蛍光体が吸湿などにより劣化し難いものとなる。その上、呈色部材３０は、図４及び図５に示すように、枠状部１６ａよりも内側に張り出していて、平面に視て導光板１９の出光板面１９ａにおける出射光の有効出射領域と重畳する配置とされているから、導光板１９の出光板面１９ａからの出射光に対して呈色部材３０による呈色作用をより確実に付与することができ、もって色ムラの抑制を図る上でより好適とされる。
【００５７】
以上説明したように本実施形態のバックライト装置（照明装置）１２は、ＬＥＤ（光源）１７と、外周端面の少なくとも一部であってＬＥＤ１７からの光が入射される入光端面１９ｂと、一対の板面のいずれかであって光を出射させる出光板面１９ａと、を有する導光板１９と、導光板１９の出光板面１９ａに重なる形で配されＬＥＤ１７からの光を波長変換する蛍光体を含有する波長変換シート（波長変換部材）２０と、波長変換シート２０の外周側部分の少なくとも一部に取り付けられて波長変換シート２０の蛍光体にて波長変換された光の色と同色または同系色を呈する呈色部材３０と、を備える。
【００５８】
このようにすれば、ＬＥＤ１７から発せられた光は、導光板１９の外周端面のうちの入光端面１９ｂに入射されて導光板１９内を伝播された後に出光板面１９ａから出射される。出光板面１９ａから出射された光は、出光板面１９ａに重ねられる波長変換シート２０に含有される蛍光体によって波長変換される。ここで、導光板１９の出光板面１９ａから出射した光は、その全てが波長変換シート２０により波長変換されてそのまま当該バックライト装置１２の出射光として利用されるとは限らず、再帰反射されて導光板１９側に戻されるなどした後に当該バックライト装置１２の出射光として利用される場合もある。この再帰反射光は、当該バックライト装置１２における中央側よりも外周側の方が再帰反射回数が少なくなりがちとされるため、波長変換シート２０を通過する回数が少なくなり、波長変換される確率が低いものとされる。また、導光板１９内を伝播する光は、その全てが出光板面１９ａから出射するとは限らず、一部については導光板１９の外周端面から出射し得るものとされる。
【００５９】
その点、波長変換シート２０の外周側部分の少なくとも一部には、波長変換シート２０の蛍光体にて波長変換された光の色と同色または同系色を呈する呈色部材３０が取り付けられているから、当該バックライト装置１２の外周側に存在する再帰反射回数が少ない再帰反射光や導光板１９の外周端面から出射した光が、呈色部材３０によって波長変換シート２０の蛍光体にて波長変換された光の色と同色または同系色を呈するよう色付けられることになる。これにより、当該バックライト装置１２の中央側と外周側とで出射光の色味に差が生じ難いものとなり、もって色ムラを好適に抑制することができる。
【００６０】
また、呈色部材３０は、波長変換シート２０の蛍光体にて波長変換された光の色の補色または補色の同系色の光の吸収率が、波長変換シート２０の蛍光体にて波長変換された光の色と同色または同系色の光の吸収率よりも高いものとされる。このようにすれば、当該バックライト装置１２の外周側に存在する再帰反射回数が少ない再帰反射光や導光板１９の外周端面から出射した光のうち、波長変換シート２０の蛍光体にて波長変換された光の色の補色または補色の同系色の光は、波長変換シート２０の蛍光体にて波長変換された光と同色または同系色の光よりも呈色部材３０によって相対的に多く吸収されることになる。これにより、当該バックライト装置１２の外周側に存在する再帰反射回数が少ない再帰反射光や導光板１９の外周端面から出射した光を、波長変換シート２０の蛍光体にて波長変換された光の色と同色または同系色を呈するよう色付けることができる。
【００６１】
また、ＬＥＤ１７は、青色の光を発するものとされており、波長変換シート２０は、蛍光体として、青色の光を緑色の光に波長変換する緑色蛍光体及び青色の光を赤色の光に波長変換する赤色蛍光体と、青色の光を黄色の光に波長変換する黄色蛍光体と、の少なくともいずれか一方を含有しており、呈色部材３０は、黄色またはその同系色を呈するものとされる。このようにすれば、ＬＥＤ１７から発せられた青色の光は、波長変換シート２０に緑色蛍光体及び赤色蛍光体が含有される場合は緑色の光及び赤色の光に、黄色蛍光体が含有される場合は黄色の光に、波長変換される。ここで、当該バックライト装置１２の外周側に存在する再帰反射回数が少ない再帰反射光や導光板１９の外周端面から出射した光には、ＬＥＤ１７の青色の光と同色または同系色の光が多く含まれているため、その光が仮にそのまま当該バックライト装置１２の出射光に含まれると、その出射光が外周側では中央側よりも青色味を帯びるおそれがある。その点、当該バックライト装置１２の外周側に存在する再帰反射回数が少ない再帰反射光や導光板１９の外周端面から出射した光は、呈色部材３０によって波長変換シート２０の蛍光体にて波長変換された光の色と同色または同系色となる色、つまり黄色またはその同系色を呈するよう色付けられるので、当該バックライト装置１２の外周側からの出射光における青色または青色と同系色の光の比率を低下させることができ、もって色ムラを好適に抑制することができる。
【００６２】
また、導光板１９及び波長変換シート２０の外周端部をそれぞれ支持する枠状部１６ａを有するフレーム１６が備えられており、呈色部材３０は、その内端位置が枠状部１６ａの内端位置よりも内寄りになるよう配されている。このようにすれば、フレーム１６の枠状部１６ａによって導光板１９及び波長変換シート２０の外周端部がそれぞれ支持される。波長変換シート２０の外周側部分の少なくとも一部に取り付けられた呈色部材３０は、その内端位置が枠状部１６ａの内端位置よりも内寄りになるよう配されているので、呈色部材３０によって色付けられた光または色付けられる光が、フレーム１６の枠状部１６ａによって妨げられ難いものとなる。従って、色ムラの抑制を図る上でより好適となる。
【００６３】
また、呈色部材３０は、波長変換シート２０の外周側部分の全周にわたって延在する形で取り付けられている。このようにすれば、波長変換シート２０の外周側部分の全周にわたって延在する呈色部材３０によって当該バックライト装置１２の外周側に存在する光を万遍なく色付けることができる。従って、色ムラの抑制を図る上でより好適となる。
【００６４】
また、波長変換シート２０は、蛍光体を含有する波長変換層２０ａと、波長変換層２０ａを挟み込んでこれを保護する一対の保護層２０ｂと、から構成されており、呈色部材３０は、波長変換層２０ａ及び一対の保護層２０ｂの外周縁部を一括して挟み込む形で取り付けられている。このようにすれば、波長変換シート２０の外周側部分の全周にわたって延在する呈色部材３０によって波長変換層２０ａが封止されるので、波長変換層２０ａに含有される蛍光体が吸湿などにより劣化し難いものとなる。
【００６５】
また、波長変換シート２０は、蛍光体として量子ドット蛍光体を含有する。このようにすれば、波長変換シート２０による光の波長変換効率がより高いものとなるとともに、波長変換された光の色純度が高いものとなる。
【００６６】
本実施形態に係る液晶表示装置１０は、上記記載のバックライト装置１２と、バックライト装置１２から照射される光を利用して画像を表示する液晶パネル（表示パネル）１１と、を備える。このような構成の液晶表示装置１０によれば、バックライト装置１２の出射光が色ムラの発生が抑制されたものとなっているから、表示品位に優れた表示を実現することができる。
【００６７】
本実施形態に係るテレビ受信装置１０ＴＶは、上記記載の液晶表示装置１０を備える。このようなテレビ受信装置１０ＴＶによれば、液晶表示装置１０の表示品位が優れたものとされているから、表示品位に優れたテレビ画像の表示を実現することができる。
【００６８】
＜実施形態２＞
本発明の実施形態２を図９または図１０によって説明する。この実施形態２では、呈色部材１３０に波長変換シート１２０の位置決め機能を併せ持たせるようにしたものを示す。なお、上記した実施形態１と同様の構造、作用及び効果について重複する説明は省略する。
【００６９】
本実施形態に係る呈色部材１３０は、図９及び図１０に示すように、波長変換シート１２０の外周側部分から部分的に突出する被位置決め突部３１を有している。これに対し、波長変換シート１２０の外周縁部を裏側から支持するフレーム１１６には、被位置決め突部３１に当接されることで、呈色部材１３０が取り付けられた波長変換シート１２０をその板面に沿う方向（Ｘ軸方向及びＹ軸方向）について位置決めする位置決め部３２が設けられている。なお、図９では、波長変換シート１２０の外形を破線にて図示している。
【００７０】
詳しくは、被位置決め突部３１は、全体として横長の枠状をなす呈色部材１３０における周方向についての一部を平面に視て外側に突出させる形で呈色部材１３０に一体形成されている。具体的には、被位置決め突部３１は、呈色部材１３０を構成する端面重なり部１３０ｂにおける周方向についての一部が板面重なり部１３０ａに並行する形で外側に延出するとともに折り返し状をなすことで形成されている（特に、図１０を参照）。被位置決め突部３１は、呈色部材１３０を構成する一対の長辺部に複数ずつ設けられており、具体的には図９に示す上側の長辺部に３つ、同図下側の長辺部に２つ、がそれぞれＸ軸方向について間隔を空けた位置に配されている。これら５つの被位置決め突部３１は、図９に示す上下非対称となる配置とされている。従って、波長変換シート１２０が図９に示す上下に反転した姿勢や表裏反転した姿勢でフレーム１１６の枠状部１１６ａに載せられようとした場合には、被位置決め突部３１が位置決め部３２とは不整合となって組み付けが規制されるようになっている。
【００７１】
位置決め部３２は、フレーム１１６の枠状部１１６ａ及び液晶パネル支持部１１６ｂにそれぞれ連なる形で設けられており、呈色部材１３０を全周にわたって外側から取り囲む形で配されている。位置決め部３２は、全体として呈色部材１３０よりも一回り大きな横長の略枠状をなしており、その内周面が呈色部材１３０の外周面に倣う平面形状とされている。従って、位置決め部３２の内周面には、各被位置決め突部３１が収容される位置決め凹部３２ａがそれぞれ設けられており、その平面配置が各被位置決め突部３１の平面配置と整合するものとされる。各被位置決め突部３１が各位置決め凹部３２ａ内に収容された状態では、各被位置決め突部３１の外周面が各位置決め凹部３２ａの内周面に当接されることで、呈色部材１３０及び波長変換シート１２０がＸ軸方向及びＹ軸方向について位置ずれすることが制限されるようになっている。
【００７２】
以上の構成によれば、波長変換シート１２０は、フレーム１１６の枠状部１１６ａによって裏側から支持されるとともに、波長変換シート１２０の外周側部分から部分的に突出する呈色部材１３０の各被位置決め突部３１がフレーム１１６の各位置決め部３２に当接されることで、位置決めが図られる。つまり、波長変換シート１２０の外周側部分の少なくとも一部に取り付けられる呈色部材１３０を利用して波長変換シート１２０を位置決めしているので、波長変換シート１２０自身に位置決め構造を直接設ける必要がないものとされる。つまり、仮に波長変換シート自身に位置決め部を設ける場合は、部分的な出っ張りを有する特殊な外形の波長変換シートを用意する必要があるものの、本実施形態によればそのような特殊な外形の波長変換シートを用いずに済む。これにより、波長変換シート１２０として汎用的なもの、すなわち部分的な出っ張りを有さない方形状の外形のものを用いることができてコストの低廉化を図る上で好適となる。
【００７３】
以上説明したように本実施形態によれば、波長変換シート１２０を位置決めする位置決め部３２を有し波長変換シート１２０を支持するフレーム（支持部材）１１６が備えられており、呈色部材１３０は、波長変換シート１２０の外周側部分から部分的に突出して位置決め部３２に当接される被位置決め突部３１を有する構成とされる。このようにすれば、波長変換シート１２０は、フレーム１１６によって支持されるとともに、波長変換シート１２０の外周側部分から部分的に突出する呈色部材１３０の被位置決め突部３１がフレーム１１６の位置決め部３２に当接されることで、位置決めが図られる。つまり、波長変換シート１２０の外周側部分の少なくとも一部に取り付けられる呈色部材１３０を利用して波長変換シート１２０を位置決めしているので、波長変換シート１２０自身に位置決め構造を直接設ける必要がないものとされる。これにより、波長変換シート１２０として汎用的なものを用いることができてコストの低廉化を図る上で好適となる。
【００７４】
＜実施形態３＞
本発明の実施形態３を図１１から図１５によって説明する。この実施形態３では、上記した実施形態１からバックライト装置２１２を直下型に変更したものを示す。なお、上記した実施形態１と同様の構造、作用及び効果について重複する説明は省略する。
【００７５】
本実施形態に係る液晶表示装置２１０は、図１１に示すように、液晶パネル２１１と、直下型のバックライト装置２１２と、をベゼル２１３などにより一体化した構成とされる。なお、液晶パネル２１１の構成は、上記した実施形態１と同様であるから、重複する説明は省略する。以下、直下型のバックライト装置２１２の構成について説明する。
【００７６】
バックライト装置２１２は、図１２に示すように、光出射側（液晶パネル２１１側）に光出射部２１４ｂを有した略箱型をなすシャーシ２１４と、シャーシ２１４の光出射部２１４ｂを覆うようにして配される光学部材２１５と、シャーシ２１４の外縁部に沿って配され光学部材２１５の外縁部をシャーシ２１４との間で挟んで保持するフレーム２１６と、を備える。さらに、シャーシ２１４内には、光学部材２１５（液晶パネル２１１）の直下となる位置に対向状に配されるＬＥＤ２１７と、ＬＥＤ２１７が実装されたＬＥＤ基板２１８と、が備えられる。その上、シャーシ２１４内には、シャーシ２１４内の光を光学部材２１５側に反射させる反射シート３３が備えられる。このように本実施形態に係るバックライト装置２１２は、直下型であるから、実施形態１にて示したエッジライト型のバックライト装置１２において用いていた導光板１９（図４を参照）が備えられていない。また、フレーム２１６の構成については、実施形態１とは第１反射シート２４（図４を参照）を有していない点などで異なる。続いて、バックライト装置２１２の各構成部品について詳しく説明する。
【００７７】
シャーシ２１４は、金属製とされ、図１２から図１４に示すように、液晶パネル２１１と同様に横長な方形状をなす底部２１４ａと、底部２１４ａの各辺の外端からそれぞれ表側（光出射側）に向けて立ち上がる側部２１４ｃと、各側部２１４ｃの立ち上がり端から外向きに張り出す受け部３５と、からなり、全体としては表側に向けて開口した浅い略箱型をなしている。シャーシ２１４は、その長辺方向がＸ軸方向（水平方向）と一致し、短辺方向がＹ軸方向（鉛直方向）と一致している。シャーシ２１４における各受け部３５には、表側からフレーム２１６及び光学部材２１５が載置可能とされる。各受け部３５には、フレーム２１６が固定されている。
【００７８】
光学部材２１５は、図１３及び図１４に示すように、上記した実施形態１に記載したものと同様の波長変換シート２２０、マイクロレンズシート２２１、プリズムシート２２２、及び反射型偏光シート２２３に加えて拡散板３４が備えられている。拡散板３４は、その板厚が他の光学部材２２０〜２２３の板厚よりも厚いものとされ、最も裏側、つまりＬＥＤ２１７の近くに配されている。拡散板３４は、その外周縁部がシャーシ２１４の受け部３５に直接的に載せられている。
【００７９】
次に、ＬＥＤ２１７が実装されるＬＥＤ基板２１８について説明する。ＬＥＤ基板２１８は、図１２から図１４に示すように、やや縦長な方形状（矩形状、長方形状）をなしており、長辺方向がＹ軸方向と一致し、短辺方向がＸ軸方向と一致する状態でシャーシ２１４内において底部２１４ａに沿って延在しつつ収容されている。このＬＥＤ基板２１８の板面のうち、表側を向いた板面（光学部材２１５側を向いた板面）には、上記した構成のＬＥＤ２１７が表面実装されており、ここが実装面２１８ａとされる。ＬＥＤ２１７は、ＬＥＤ基板２１８の実装面２１８ａの面内において複数ずつ行列状（マトリクス状、碁盤目状）に並列して配されるとともに、実装面２１８ａの面内に配索形成された配線パターンによって相互が電気的に接続されている。具体的には、ＬＥＤ基板２１８の実装面２１８ａ上には、その短辺方向（Ｘ軸方向）に沿って５個（相対的に少ない数）ずつ、長辺方向（Ｙ軸方向）に沿って６個（相対的に多い数）ずつのＬＥＤ２１７が行列状に並んで配置されている。ＬＥＤ基板２１８における各ＬＥＤ２１７の配列ピッチは、ほぼ一定とされ、詳しくはＸ軸方向（行方向）及びＹ軸方向（列方向）についてそれぞれほぼ等間隔に配列されている。
【００８０】
上記した構成のＬＥＤ基板２１８は、図１２に示すように、シャーシ２１４内においてＸ軸方向及びＹ軸方向に沿って複数ずつが互いに長辺方向及び短辺方向を揃えた状態で並列して配置されている。具体的には、ＬＥＤ基板２１８は、シャーシ２１４内においてＸ軸方向に沿って４枚（相対的に多い数）ずつ、Ｙ軸方向に沿って２枚（相対的に少ない数）ずつ、それぞれ並んで配されており、それらの並び方向がＸ軸方向及びＹ軸方向とそれぞれ一致している。Ｘ軸方向及びＹ軸方向についてそれぞれ隣り合うＬＥＤ基板２１８間の配列間隔は、ほぼ一定とされる。そして、シャーシ２１４の底部２１４ａの面内においてＬＥＤ２１７は、Ｘ軸方向（行方向）及びＹ軸方向（列方向）についてそれぞれほぼ等間隔となるよう行列状に並ぶよう平面配置されている。具体的には、ＬＥＤ２１７は、シャーシ２１４の底部２１４ａの面内においてその長辺方向（Ｘ軸方向）に沿って２０個ずつ、短辺方向（Ｙ軸方向）に沿って１２個ずつが行列状に並ぶ形で平面配置されている。これらの全ＬＥＤ２１７の発光面２１７ａに対して、シャーシ２１４の光出射部２１４ｂを覆う形で配された光学部材２１５は、所定の間隔を空けて離れた位置にて対向状に配されている。なお、各ＬＥＤ基板２１８には、図示しない配線部材が接続されるコネクタ部が設けられており、配線部材を介して図示しないＬＥＤ駆動基板（光源駆動基板）から駆動電力が供給されるようになっている。
【００８１】
反射シート３３は、表面が光の反射性に優れた白色を呈するものとされており、図１１から図１４に示すように、シャーシ２１４の内面をほぼ全域にわたって覆う大きさ、つまり底部２１４ａに沿って平面配置された全ＬＥＤ基板２１８を一括して覆う大きさを有している。この反射シート３３によりシャーシ２１４内の光を表側（光出射側、光学部材２１５側）に向けて反射させることができるようになっている。反射シート３３は、全体としては略擂鉢状をなしており、ＬＥＤ基板２１８及び底部２１４ａに倣って延在するとともに各ＬＥＤ基板２１８を一括してそのほぼ全域を覆う大きさの底側反射部３３ａと、底側反射部３３ａの各外端から表側に立ち上がるとともに底側反射部３３ａに対して傾斜状をなす４つの立ち上がり反射部３３ｂと、各立ち上がり反射部３３ｂの外端から外向きに延出するとともにシャーシ２１４の受け部３５に載せられる延出部（外縁部）３３ｃと、から構成されている。
【００８２】
反射シート３３の底側反射部３３ａは、図１２から図１４に示すように、各ＬＥＤ基板２１８における表側の面、つまりＬＥＤ２１７の実装面２１８ａに対して表側に重なるよう配される。底側反射部３３ａは、シャーシ２１４の底部２１４ａ及び光学部材２１５の板面に並行する形で延在する構成とされているため、光学部材２１５までのＺ軸方向についての間隔が面内の全域にわたってほぼ一定とされている。底側反射部３３ａには、各ＬＥＤ２１７と平面に視て重畳する位置に各ＬＥＤ２１７を個別に挿通するＬＥＤ挿通孔（光源挿通孔）３３ｄが開口して設けられている。このＬＥＤ挿通孔３３ｄは、各ＬＥＤ２１７の配置に対応してＸ軸方向及びＹ軸方向について行列状（マトリクス状）に複数が並んで配置されている。このように底側反射部３３ａは、平面に視てＬＥＤ２１７と重畳する配置とされており、反射シート３３の中の「ＬＥＤ配置領域（光源配置領域）」である、と言える。立ち上がり反射部３３ｂは、立ち上がり基端位置から立ち上がり先端位置に至るまで直線状をなす形で底側反射部３３ａ及び光学部材２１５の板面に対して傾斜状をなしている。従って、立ち上がり反射部３３ｂと光学部材２１５との間のＺ軸方向についての間隔は、立ち上がり基端位置から立ち上がり先端位置へ向けて連続的に漸次減少するものとされており、立ち上がり基端位置にて最大（底側反射部３３ａと光学部材２１５との間のＺ軸方向についての間隔とほぼ等しい大きさ）となり、立ち上がり先端位置にて最小となっている。立ち上がり反射部３３ｂは、平面に視てＬＥＤ２１７とは非重畳となる配置とされており、反射シート３３の中の「ＬＥＤ非配置領域（光源非配置領域）」である、と言える。
【００８３】
ところで、本実施形態のような直下型のバックライト装置２１２では、図１３及び図１４に示すように、ＬＥＤ２１７から発せられて反射シート３３にて反射された光は、その全てが波長変換シート２２０により波長変換されてそのままバックライト装置２１２の出射光として利用されるとは限らず、再帰反射されて反射シート３３側に戻されるなどした後にバックライト装置２１２の出射光として利用される場合もある。この再帰反射光は、略擂鉢状をなす反射シート３３の中央側よりも外周側の方が光路長が短いため、再帰反射回数、つまり波長変換シート２２０の通過回数が多くなりがちとされて波長変換される確率が高いものとされる。このため、反射シート３３の外周側にて反射される再帰反射光は、反射シート３３の中央側にて反射される再帰反射光に比べて波長変換シート２２０にて波長変換された光の色味、つまり黄色に近い色味となっている。また、バックライト装置２１２内において中央側では外周側よりもＬＥＤ２１７の分布密度が高いものとされているため、バックライト装置２１２内に存在するＬＥＤ２１７の青色の光（一次光）に係る光量は、中央側で多く、外周側で少ない、といった分布となり易く、外周側ではより黄色味を帯び易くなっていた。このように、バックライト装置２１２の出射光は、外周側と中央側とで色味に差が生じ易いものとなっていた。
【００８４】
そこで、本実施形態に係るバックライト装置２１２では、図１３及び図１４に示すように、波長変換シート２２０の外周側部分の少なくとも一部に、波長変換シート２２０の蛍光体にて波長変換された光の色と補色または補色の同系色を呈する呈色部材２３０を取り付けるようにしている。このような構成によれば、バックライト装置２１２の外周側に存在する再帰反射回数が多い再帰反射光が、波長変換シート２２０の外周側部分の少なくとも一部に取り付けられた呈色部材２３０によって波長変換シート２２０の蛍光体にて波長変換された光の色の補色または補色の同系色を呈するよう色付けられることになる。これにより、バックライト装置２１２の外周側においてＬＥＤ２１７の発光光（一次光）に係る光量が中央側よりも少なくなっていても、バックライト装置２１２の中央側と外周側とで出射光の色味に差が生じ難いものとなり、もって色ムラを好適に抑制することができる。
【００８５】
詳しくは、呈色部材２３０は、波長変換シート２２０に含有される緑色蛍光体及び赤色蛍光体により波長変換された緑色の光及び赤色の光、つまり黄色の光の補色である青色を呈するのが好ましいものとされる。呈色部材２３０が呈する色は、必ずしも青色に限定されるものではなく、例えば青色の同系色であってもよく、具体的には緑色がかった青色（シアン色）や赤色がかった青色（マゼンタ色）などであっても構わない。なお、ここで言う「同系色」とは、「色相環において該当色（本実施形態では青色）に隣り合う色や該当色に近い位置にある色」のことである。呈色部材２３０は、例えば金属製の薄膜（アルミニウム製の薄膜など）の表面に青色またはその同系色を呈する塗料（顔料または染料を含む）を塗布してなるものとされる。呈色部材２３０に有されて青色またはその同系色を呈する塗料は、波長変換シート２２０にて波長変換された光の色である黄色の光、つまりＬＥＤ２１７の発光光（一次光）の補色となる光の吸収率が、波長変換シート２２０にて波長変換された光の色の補色である青色またはその同系色の光の吸収率よりも相対的に高いものとされる。なお、ここで言う「補色」とは、「色相環において該当色の反対側に位置する色」のことであり、「反対色」とも言う。また、ここで言う「黄色の光」には、黄色に属する波長領域（約５７０ｎｍ〜約６００ｎｍ）の光が含まれるのは勿論のこと、緑色に属する波長領域の光（緑色蛍光体から発せられる緑色の光）と赤色に属する波長領域の光（赤色蛍光体から発せられる赤色の光）とを合成した光も含まれる。従って、呈色部材２３０は、黄色の光を相対的に多く吸収して青色またはその同系色の光を相対的に多く出射させる波長選択性光吸収機能を有することで、光に青色味を帯びさせることができる。
【００８６】
呈色部材２３０は、図１１に示すように、波長変換シート２２０の外周側部分の全周にわたって延在する形で取り付けられており、全体として平面に視て波長変換シート２２０の相似形となる横長の枠状（額縁状）をなしている。つまり、呈色部材２３０は、波長変換シート２２０の外周側部分のうち、反射シート３３における４辺の各立ち上がり反射部３３ｂに倣う部分に跨る形で取り付けられている。従って、各立ち上がり反射部３３ｂと光学部材２１５との間で多重反射されることで黄色味を帯びた光を、呈色部材２３０によって青色またはその同系色を呈するよう色付ける、つまり呈色作用を付与することができる。このように、呈色部材２３０は、バックライト装置２１２の外周側に存在する再帰反射回数が多くて黄色味を帯びた光を全周にわたって万遍なく色付けることができるので、色ムラの抑制を図る上でより好適とされる。なお、呈色部材２３０は、上記した実施形態１と同様に、波長変換シート２２０を構成する波長変換層及び一対の保護層の外周縁部を一括して挟み込む形で取り付けられることで、波長変換層を全周にわたって封止している（図８を参照）。
【００８７】
呈色部材２３０は、図１５に示すように、反射シート３３を構成する立ち上がり反射部３３ｂと重畳するよう配されている。詳しくは、呈色部材２３０は、波長変換シート２２０のうち、反射シート３３を構成する各立ち上がり反射部３３ｂ及び各延出部３３ｃと平面に視て重畳する部分に取り付けられている。呈色部材２３０は、反射シート３３における外周端部である各延出部３３ｃの全域に対して重畳するとともに、各延出部３３ｃよりも内側に配された各立ち上がり反射部３３ｂの外側部分、具体的には立ち上がり先端側部分に対して重畳するよう配されている。このような構成によれば、各立ち上がり反射部３３ｂ及び各延出部３３ｃにより表側、つまり波長変換シート２２０側に反射された光を呈色部材２３０によって効率的に色付けることができる。従って、色ムラの抑制を図る上でより好適となる。
【００８８】
本実施形態は以上のような構造であり、続いてその作用を説明する。上記した構成の液晶表示装置２１０の電源をＯＮすると、図示しないコントロール基板のパネル制御回路により液晶パネル２１１の駆動が制御されるとともに、図示しないＬＥＤ駆動回路基板のＬＥＤ駆動回路からの駆動電力がＬＥＤ基板２１８の各ＬＥＤ２１７に供給されることでその駆動が制御される。点灯された各ＬＥＤ２１７からの光は、図１３及び図１４に示すように、直接的に光学部材２１５に照射されたり、反射シート３３により反射されて間接的に光学部材２１５に照射されたりして光学部材２１５にて所定の光学作用が付与された後に液晶パネル２１１へと照射されることで、液晶パネル２１１の表示領域にて画像の表示に利用される。以下、バックライト装置２１２に係る作用について詳しく説明する。
【００８９】
各ＬＥＤ２１７から発せられた青色の光（一次光）は、図１３及び図１４に示すように、光学部材２１５を構成する拡散板３４にて拡散作用を付与された後に、その一部が波長変換シート２２０にて緑色の光及び赤色の光（二次光）へと波長変換される。この波長変換された緑色の光及び赤色の光（二次光）と、ＬＥＤ２１７の青色の光（一次光）と、によって概ね白色の照明光が得られることになる。これらＬＥＤ２１７の青色の光（一次光）と、波長変換された緑色の光及び赤色の光（二次光）と、は、マイクロレンズシート２２１にてＸ軸方向及びＹ軸方向について等方的に集光作用（等方性集光作用）が付与された後に、プリズムシート２２２にてＹ軸方向について選択的に集光作用（異方性集光作用）が付与される。その後、プリズムシート２２２を出射した光は、反射型偏光シート２２３にて特定の偏光光（ｐ波）が選択的に透過されて液晶パネル２１１に向けて出射するのに対し、それとは異なる特定の偏光光（ｓ波）が選択的に裏側へと反射される。反射型偏光シート２２３にて反射されたｓ波や、マイクロレンズシート２２１及びプリズムシート２２２にて集光作用を付与されずに裏側へと反射された光や、拡散板３４にて裏側へ向けて反射された光などは、次述する反射シート３３にて再び反射されて再び表側へ向けて進行することになる。
【００９０】
次に、反射シート３３及び呈色部材２３０の光学作用について詳しく説明する。反射シート３３は、図１３及び図１４に示すように、ＬＥＤ２１７から発せられた青色の光（一次光）や光学部材２１５にて裏側へと戻された光（一次光及び二次光）を底側反射部３３ａ及び各立ち上がり反射部３３ｂにより表側へと反射する。ここで、底側反射部３３ａにて反射された光が光学部材２１５に到達するまでの光路長と、立ち上がり反射部３３ｂにて反射された光が光学部材２１５に到達するまでの光路長と、を比較すると後者の方が短いものとされており、しかも立ち上がり反射部３３ｂの立ち上がり基端側から立ち上がり先端側に向けて上記光路長が連続的に漸次短くなる傾向とされる。従って、立ち上がり反射部３３ｂによる反射光が光学部材２１５との間で繰り返し反射される回数は、底側反射部３３ａによる反射光が光学部材２１５との間で繰り返し反射される回数よりも相対的に多くなるものとされ、それにより立ち上がり反射部３３ｂによる反射光は、底側反射部３３ａによる反射光に比べると、波長変換シート２２０を通過する回数が相対的に多くなって色味が相対的に黄色味を帯び易くなっている。また、バックライト装置２１２のシャーシ２１４内に存在するＬＥＤ２１７の青色の発光光（一次光）に係る光量は、ＬＥＤ配置領域である底側反射部３３ａ側では多くなるのに対し、ＬＥＤ非配置領域である立ち上がり反射部３３ｂ側では少なくなる分布となりがちとされている。
【００９１】
その点、本実施形態に係るバックライト装置２１２は、図１３及び図１４に示すように、波長変換シート２２０の外周側部分に取り付けられた呈色部材２３０が、波長変換シート２２０の各蛍光体にて波長変換された光（二次光）の補色である青色または青色の同系色を呈するものとされているから、バックライト装置２１２の外周側に存在する再帰反射回数が多くて黄色味を帯びた再帰反射光が、呈色部材２３０によって青色または青色の同系色を呈するよう色付けられる。具体的には、呈色部材２３０は、波長変換シート２２０の各蛍光体にて波長変換された光と同色である黄色の光に係る吸収率が、ＬＥＤ２１７の発光光（一次光）と同色である青色または青色の同系色の光に係る吸収率よりも高いものとされることで、バックライト装置２１２の外周側に存在する再帰反射回数が多い再帰反射光から黄色の光をより多く吸収して青色の光をより多く出射させている。このようにして呈色部材２３０は、黄色味を帯びた光を青色または青色の同系色に色付けて、結果として光の色味を白色に近い色味とすることができる。これにより、バックライト装置２１２のうちＬＥＤ非配置領域とされる外周側（立ち上がり反射部３３ｂ側）においてＬＥＤ２１７の発光光（一次光）に係る光量が、ＬＥＤ配置領域とされる中央側（底側反射部３３ａ側）よりも少なくなっていても、バックライト装置２１２における外周側において出射光が黄色味を帯び難く、中央側の出射光（ほぼ白色光）に近い色味となる。以上により、バックライト装置２１２における中央側と外周側とで出射光の色味に差が生じ難くなり、出射光に色ムラが生じ難いものとされる。
【００９２】
しかも、呈色部材２３０は、図１１に示すように、波長変換シート２２０の外周側部分の全周にわたって延在する形で取り付けられているから、バックライト装置２１２の外周側に存在する光を万遍なく色付けることができる。従って、色ムラの抑制を図る上でより好適となる。さらには、波長変換シート２２０の外周側部分の全周にわたって延在する呈色部材２３０は、波長変換シート２２０を構成する波長変換層及び一対の保護層の外周縁部を一括して挟み込む形で取り付けられているから、波長変換層が全周にわたって封止されており、それにより波長変換層に含有される各蛍光体が吸湿などにより劣化し難いものとなる（図８を参照）。その上、呈色部材２３０は、図１５に示すように、反射シート３３を構成する各立ち上がり反射部３３ｂと重畳するよう配されているから、各立ち上がり反射部３３ｂにより表側、つまり波長変換シート２２０側に反射された光を呈色部材２３０によって効率的に色付けることができ、もって色ムラの抑制を図る上でより好適となる。
【００９３】
以上説明したように本実施形態によれば、ＬＥＤ２１７と、ＬＥＤ２１７に対してその発光面２１７ａ側とは反対側に配される底部２１４ａを有しＬＥＤ２１７を収容するシャーシ２１４と、ＬＥＤ２１７の発光面２１７ａと対向状をなす形でその出光側に離れて配されＬＥＤ２１７からの光を波長変換する蛍光体を含有する波長変換シート２２０と、ＬＥＤ２１７からの光を波長変換シート２２０側に反射する反射シート（反射部材）３３であって、底部２１４ａに倣う形で配される底側反射部３３ａと、底側反射部３３ａから波長変換シート２２０側に向けて立ち上がる立ち上がり反射部３３ｂと、を少なくとも有する反射シート３３と、波長変換シート２２０の外周側部分の少なくとも一部に取り付けられて波長変換シート２２０の蛍光体にて波長変換された光の色の補色または補色の同系色を呈する呈色部材２３０と、を備える。
【００９４】
このようにすれば、ＬＥＤ２１７から発せられた光は、反射シート３３を構成する底側反射部３３ａ及び立ち上がり反射部３３ｂにより反射されるなどしてＬＥＤ２１７の発光面２１７ａと対向状をなす形でその出光側に離れて配される波長変換シート２２０に含有される蛍光体によって波長変換されて出射される。ここで、波長変換シート２２０を透過した光は、その全てがそのまま当該バックライト装置２１２の出射光として利用されるとは限らず、再帰反射されて反射シート３３側に戻されるなどした後に当該バックライト装置２１２の出射光として利用される場合もある。この再帰反射光は、当該バックライト装置２１２のうち反射シート３３の底側反射部３３ａが配される中央側よりも立ち上がり反射部３３ｂが配される外周側の方が再帰反射回数が多くなりがちとされるため、波長変換シート２２０を通過する回数が多くなり、波長変換される確率が高いものとされる。また、シャーシ２１４内に存在するＬＥＤ２１７の発光光に係る光量は、中央側で多く、外周側で少なくなる分布となりがちとされる。
【００９５】
その点、波長変換シート２２０の外周側部分の少なくとも一部には、波長変換シート２２０の蛍光体にて波長変換された光の色の補色または補色の同系色を呈する呈色部材２３０が取り付けられているから、当該バックライト装置２１２の外周側に存在する再帰反射回数が多い再帰反射光が、呈色部材２３０によって波長変換シート２２０の蛍光体にて波長変換される光の色の補色または補色の同系色を呈するよう色付けられることになる。これにより、当該バックライト装置２１２の外周側においてＬＥＤ２１７の発光光に係る光量が中央側よりも少なくなっていても、当該バックライト装置２１２の中央側と外周側とで出射光の色味に差が生じ難いものとなり、もって色ムラを好適に抑制することができる。
【００９６】
また、呈色部材２３０は、波長変換シート２２０の蛍光体にて波長変換された光と同色または同系色の光の吸収率が、波長変換シート２２０の蛍光体にて波長変換された光の色の補色または補色の同系色の光の吸収率よりも高いものとされる。このようにすれば、当該バックライト装置２１２の外周側に存在する再帰反射回数が多い再帰反射光のうち、波長変換シート２２０の蛍光体にて波長変換された光の色と同色または同系色の光は、波長変換シート２２０の蛍光体にて波長変換された光の補色または補色の同系色の光よりも呈色部材２３０によって相対的に多く吸収されることになる。これにより、当該バックライト装置２１２の外周側に存在する再帰反射回数が多い再帰反射光を、波長変換シート２２０の蛍光体にて波長変換された光の色の補色または補色の同系色を呈するよう色付けることができる。
【００９７】
また、ＬＥＤ２１７は、青色の光を発するものとされており、波長変換シート２２０は、蛍光体として、青色の光を緑色の光に波長変換する緑色蛍光体及び青色の光を赤色の光に波長変換する赤色蛍光体と、青色の光を黄色の光に波長変換する黄色蛍光体と、の少なくともいずれか一方を含有しており、呈色部材２３０は、青色またはその同系色を呈するものとされる。このようにすれば、ＬＥＤ２１７から発せられた青色の光は、波長変換シート２２０に緑色蛍光体及び赤色蛍光体が含有される場合は緑色の光及び赤色の光に、黄色蛍光体が含有される場合は黄色の光に、波長変換される。ここで、当該バックライト装置２１２の外周側に存在する再帰反射回数が多い再帰反射光には、ＬＥＤ２１７の青色の光の補色または補色の同系色の光が多く含まれているため、その光が仮にそのまま当該バックライト装置２１２の出射光に含まれると、その出射光が外周側では中央側よりも黄色味を帯びるおそれがある。その点、当該バックライト装置２１２の外周側に存在する再帰反射回数が少ない再帰反射光は、呈色部材２３０によって波長変換シート２２０の蛍光体にて波長変換された光の色の補色または補色の同系色となる色、つまり青色またはその同系色を呈するよう色付けられるので、当該バックライト装置２１２の外周側からの出射光における黄色または黄色の同系色の光の比率を低下させることができ、もって色ムラを好適に抑制することができる。
【００９８】
また、呈色部材２３０は、立ち上がり反射部３３ｂと重畳するよう配されている。このようにすれば、波長変換シート２２０の外周側部分の少なくとも一部に取り付けられた呈色部材２３０は、反射シート３３の立ち上がり反射部３３ｂと重畳するよう配されているので、立ち上がり反射部３３ｂにより波長変換シート２２０側に反射された光を呈色部材２３０によって効率的に色付けることができる。従って、色ムラの抑制を図る上でより好適となる。
【００９９】
＜実施形態４＞
本発明の実施形態４を図１６または図１７によって説明する。この実施形態４では、上記した実施形態１からＬＥＤ３１７、波長変換シート３２０及び呈色部材３３０を変更したものを示す。なお、上記した実施形態１と同様の構造、作用及び効果について重複する説明は省略する。
【０１００】
本実施形態に係るＬＥＤ３１７は、図１６及び図１７に示すように、マゼンタ色の光を発するものとされる。詳しくは、ＬＥＤ３１７は、発光源であって青色の単色光を発する青色ＬＥＤ素子３２７と、青色ＬＥＤ素子３２７を封止する封止材３２８と、青色ＬＥＤ素子３２７が収容されるとともに封止材３２８が充填されるケース３２９と、を備えており、このうちの封止材３２８には、青色ＬＥＤ素子３２７からの青色の単色光を励起光として、赤色の光（赤色に属する特定の波長領域の可視光線）を発する赤色蛍光体が分散配合されている。封止材３２８に含有させる赤色蛍光体としては、例えば(Ｃａ，Ｓｒ，Ｂａ) 2ＳｉＯ5Ｎ8：Ｅｕ2+、ＣａＡｌＳｉＮ3：Ｅｕ2+や複フッ化物蛍光体（マンガン付活のケイフッ化カリウム（Ｋ2ＴｉＦ6）など）などを用いるのが好ましい。青色ＬＥＤ素子３２７から発せられた青色の光は、その一部が封止材３２８に含有させる赤色蛍光体によって赤色の光へと波長変換されるので、ＬＥＤ３１７の発光光としては、マゼンタ色の光となる。なお、青色ＬＥＤ素子３２７及びケース３２９に係る構成は、上記した実施形態１に記載した通りである。
【０１０１】
波長変換シート３２０は、図１６に示すように、波長変換層に、ＬＥＤ３１７のマゼンタ色の光に含まれる青色の光を励起光として緑色（緑色に属する特定の波長領域の可視光線）の光を発する緑色蛍光体が分散配合された構成となっている。従って、波長変換シート３２０は、ＬＥＤ３１７の発光光（マゼンタ色の光、一次光）の一部をその色味（マゼンタ色）に対して補色となる色味（緑色）を呈する二次光（緑色の光）に波長変換するものとされる。このように、本実施形態では、ＬＥＤ３１７から発せられたマゼンタ色の光と、波長変換シート３２０にて波長変換された緑色の光と、の加法混色によりバックライト装置３１２の出射光が概ね白色を呈するものとされる。なお、波長変換シート３２０の波長変換層は、ほぼ透明な合成樹脂製でフィルム状をなす基材（蛍光体担体）に、緑色蛍光体を分散配合した蛍光体層を塗布してなるものとされる。また、波長変換層に含有される緑色蛍光体は、上記した実施形態１と同様に量子ドット蛍光体とされる。
【０１０２】
そして、波長変換シート３２０の外周側部分に取り付けられる呈色部材３３０は、図１６に示すように、波長変換シート３２０に含有される緑色蛍光体により波長変換された緑色の光と同色である緑色を呈するのが好ましいものとされる。呈色部材３３０が呈する色は、必ずしも緑色に限定されるものではなく、例えば緑色の同系色であってもよく、具体的には黄色がかった緑色（黄緑色）や青色がかった緑色（シアン色）などであっても構わない。なお、ここで言う「同系色」とは、「色相環において該当色（本実施形態では緑色）に隣り合う色や該当色に近い位置にある色」のことである。呈色部材３３０は、例えば金属製の薄膜（アルミニウム製の薄膜など）の表面に緑色またはその同系色を呈する塗料（顔料または染料を含む）を塗布してなるものとされる。呈色部材３３０に有されて緑色またはその同系色を呈する塗料は、波長変換シート３２０にて波長変換された光の色である緑色の補色となるマゼンタ色の光、つまりＬＥＤ３１７の発光光（一次光）と同色となる光の吸収率が、波長変換シート３２０にて波長変換された光の色である緑色またはその同系色の光の吸収率よりも相対的に高いものとされる。従って、呈色部材３３０は、マゼンタ色の光を相対的に多く吸収して緑色またはその同系色の光を相対的に多く出射させる波長選択性光吸収機能を有することで、光に緑色味を帯びさせることができる。
【０１０３】
このような構成の呈色部材３３０は、図１６に示すように、波長変換シート３２０の外周側部分に取り付けられているから、バックライト装置３１２における外周側に存在するマゼンタ色味を帯びた光を緑色または緑色の同系色に色付けて、結果として光の色味を白色に近い色味とすることができる。これにより、バックライト装置３１２における外周側において出射光がマゼンタ色味を帯び難く、中央側の出射光（ほぼ白色光）に近い色味となる。以上により、バックライト装置３１２における中央側と外周側とで出射光の色味に差が生じ難くなり、出射光に色ムラが生じ難いものとされる。
【０１０４】
＜実施形態５＞
本発明の実施形態５を図１８によって説明する。この実施形態５では、上記した実施形態３の構成に実施形態４と同様のＬＥＤ４１７及び波長変換シート４２０を組み合わせたものを示す。なお、上記した実施形態３，４と同様の構造、作用及び効果について重複する説明は省略する。
【０１０５】
本実施形態に係るＬＥＤ４１７は、図１８に示すように、マゼンタ色の光を発するものとされており、その構成は上記した実施形態４と同様である。波長変換シート４２０は、波長変換層に、ＬＥＤ４１７のマゼンタ色の光に含まれる青色の光を励起光として緑色の光を発する緑色蛍光体が分散配合された構成となっており、その構成は上記した実施形態４と同様である。そして、呈色部材４３０は、波長変換シート４２０に含有される緑色蛍光体により波長変換された緑色の光の補色であるマゼンタ色を呈するのが好ましいものとされる。呈色部材４３０が呈する色は、必ずしもマゼンタ色に限定されるものではなく、例えばマゼンタ色の同系色であってもよく、具体的には赤色がかったマゼンタ色や青色がかったマゼンタ色などであっても構わない。なお、ここで言う「同系色」とは、「色相環において該当色（本実施形態ではマゼンタ色）に隣り合う色や該当色に近い位置にある色」のことである。呈色部材４３０は、例えば金属製の薄膜（アルミニウム製の薄膜など）の表面にマゼンタ色またはその同系色を呈する塗料（顔料または染料を含む）を塗布してなるものとされる。呈色部材４３０に有されてマゼンタ色またはその同系色を呈する塗料は、波長変換シート４２０にて波長変換された光の色と同色である緑色の光、つまりＬＥＤ４１７の発光光（一次光）の補色となる光の吸収率が、波長変換シート４２０にて波長変換された光の色の補色であるマゼンタ色またはその同系色の光の吸収率よりも相対的に高いものとされる。従って、呈色部材４３０は、緑色の光を相対的に多く吸収してマゼンタ色またはその同系色の光を相対的に多く出射させる波長選択性光吸収機能を有することで、光にマゼンタ色味を帯びさせることができる。
【０１０６】
このような構成の呈色部材４３０は、波長変換シート４２０の外周側部分に取り付けられているから、バックライト装置４１２における外周側に存在する緑色味を帯びた光をマゼンタ色または緑色の同系色に色付けて、結果として光の色味を白色に近い色味とすることができる。これにより、バックライト装置４１２における外周側において出射光が緑色味を帯び難く、中央側の出射光（ほぼ白色光）に近い色味となる。以上により、バックライト装置４１２における中央側と外周側とで出射光の色味に差が生じ難くなり、出射光に色ムラが生じ難いものとされる。
【０１０７】
＜実施形態６＞
本発明の実施形態６を図１９によって説明する。この実施形態６では、上記した実施形態１から呈色部材５３０の構成を変更したものを示す。なお、上記した実施形態１と同様の構造、作用及び効果について重複する説明は省略する。
【０１０８】
本実施形態に係る呈色部材５３０は、図１９に示すように、波長変換シート５２０の外周側部分に対して表側に重なる形で取り付けられている。つまり、呈色部材５３０は、波長変換シート５２０の外周側部分における表側の板面に重ねられる板面重なり部５３０ａのみから構成されている。このような構成であっても、バックライト装置５１２の外周側に存在する青色味を帯びた光に対して呈色部材５３０により呈色作用を付与して白色光化を図ることができる。
【０１０９】
＜実施形態７＞
本発明の実施形態７を図２０によって説明する。この実施形態７では、上記した実施形態１から呈色部材６３０の構成を変更したものを示す。なお、上記した実施形態１と同様の構造、作用及び効果について重複する説明は省略する。
【０１１０】
本実施形態に係る呈色部材６３０は、図２０に示すように、波長変換シート６２０の外周側部分に対して裏側に重なる形で取り付けられている。つまり、呈色部材６３０は、波長変換シート６２０の外周側部分における裏側の板面に重ねられる板面重なり部６３０ａのみから構成されている。このような構成であっても、バックライト装置６１２の外周側に存在する青色味を帯びた光に対して呈色部材６３０により呈色作用を付与して白色光化を図ることができる。
【０１１１】
＜実施形態８＞
本発明の実施形態８を図２１によって説明する。この実施形態８では、上記した実施形態６から呈色部材７３０の形成範囲を変更したものを示す。なお、上記した実施形態６と同様の構造、作用及び効果について重複する説明は省略する。
【０１１２】
本実施形態に係る呈色部材７３０は、図２１に示すように、波長変換シート７２０の外周側部分のうち、ＬＥＤ７１７側とは反対側（他方）の長辺部及び一対の短辺部に跨る形で取り付けられている。つまり、呈色部材７３０は、波長変換シート７２０の外周側部分のうち、図示しない導光板の非入光端面に倣う部分に選択的に取り付けられている。従って、導光板の外周端面のうちの非入光端面から出射した青色味を帯びた光を、呈色部材７３０によって黄色またはその同系色を呈するよう色付ける、つまり呈色作用を付与することができる。導光板の非入光端面は、入光端面に比べると、青色味を帯びた光の出射量が相対的に多くなる傾向にあることから、呈色部材７３０を上記のような配置とすることで、色ムラの発生を効果的に抑制することができる。なお、図２１では、ＬＥＤ７１７及びＬＥＤ基板７１８を二点鎖線により図示している。
【０１１３】
＜実施形態９＞
本発明の実施形態９を図２２によって説明する。この実施形態９では、上記した実施形態６から呈色部材８３０の形成範囲を変更したものを示す。なお、上記した実施形態６と同様の構造、作用及び効果について重複する説明は省略する。
【０１１４】
本実施形態に係る呈色部材８３０は、図２２に示すように、波長変換シート８２０の外周側部分のうち、一対の短辺部にそれぞれ取り付けられている。つまり、呈色部材８３０は、波長変換シート８２０の外周側部分のうち、図示しない導光板の非入光側端面に倣う部分に選択的に取り付けられている。従って、導光板の外周端面のうちの非入光側端面から出射した青色味を帯びた光を、呈色部材８３０によって黄色またはその同系色を呈するよう色付ける、つまり呈色作用を付与することができる。導光板の非入光側端面は、入光端面や非入光反対端面に比べると、青色味を帯びた光の出射量が相対的に多くなる傾向にあることから、呈色部材８３０を上記のような配置とすることで、色ムラの発生を効果的に抑制することができる。なお、図２２では、ＬＥＤ８１７及びＬＥＤ基板８１８を二点鎖線により図示している。
【０１１５】
＜実施形態１０＞
本発明の実施形態１０を図２３によって説明する。この実施形態１０では、上記した実施形態６から呈色部材９３０の形成範囲を変更したものを示す。なお、上記した実施形態６と同様の構造、作用及び効果について重複する説明は省略する。
【０１１６】
本実施形態に係る呈色部材９３０は、図２３に示すように、波長変換シート９２０の外周側部分のうち、ＬＥＤ９１７側とは反対側（他方）の長辺部に取り付けられている。つまり、呈色部材９３０は、波長変換シート９２０の外周側部分のうち、図示しない導光板の非入光反対端面に倣う部分に選択的に取り付けられている。従って、導光板の外周端面のうちの非入光反対端面から出射した青色味を帯びた光を、呈色部材９３０によって黄色またはその同系色を呈するよう色付ける、つまり呈色作用を付与することができる。なお、図２３では、ＬＥＤ９１７及びＬＥＤ基板９１８を二点鎖線により図示している。
【０１１７】
＜他の実施形態＞
本発明は上記記述及び図面によって説明した実施形態に限定されるものではなく、例えば次のような実施形態も本発明の技術的範囲に含まれる。
（１）上記した各実施形態では、光源として青色の単色光またはマゼンタ色の光を発するＬＥＤを用いた場合を示したが、光源として青色やマゼンタ色以外の色の光を発するＬＥＤを用いることも可能であり、その場合は波長変換シートに含有させる蛍光体が発する色や呈色部材が呈する色もＬＥＤの光の色に応じて変更すればよい。例えば、紫色の光を発するＬＥＤを用いる場合には、波長変換シートに含有させる蛍光体として紫色の補色となる黄緑色を発するよう緑色蛍光体及び黄色蛍光体を用いるようにすれば、バックライト装置の照明光（出射光）を白色化することができる。紫色の光を発するＬＥＤは、例えば紫色の単色光を発する紫色ＬＥＤ素子を少なくとも有する構成とされる。そして、呈色部材に関しては、エッジライト型のバックライト装置においては、波長変換シートの各蛍光体にて波長変換された光と同色である黄緑色またはその同系色を呈するものを用いることができる。一方、直下型のバックライト装置においては、波長変換シートの各蛍光体にて波長変換された光の補色である紫色またはその同系色を呈する呈色部材を用いることができる。
【０１１８】
（２）上記した（１）以外にも、例えば、シアン色の光を発するＬＥＤを用いる場合には、波長変換シートに含有させる蛍光体としてシアン色の補色となる赤色を発する赤色蛍光体を用いるようにすれば、バックライト装置の照明光（出射光）を白色化することができる。シアン色の光を発するＬＥＤは、例えば青色ＬＥＤ素子と、青色ＬＥＤ素子からの青色の単色光を励起光として緑色の光を発する緑色蛍光体を分散配合した封止材と、を少なくとも有する構成とされる。そして、呈色部材に関しては、エッジライト型のバックライト装置においては、波長変換シートの各蛍光体にて波長変換された光と同色である赤色またはその同系色を呈するものを用いることができる。一方、直下型のバックライト装置においては、波長変換シートの各蛍光体にて波長変換された光の補色であるシアン色またはその同系色を呈する呈色部材を用いることができる。
【０１１９】
（３）上記した各実施形態では、呈色部材が金属製の薄膜の表面に塗料を塗布してなるものとされる場合を示したが、呈色部材を、例えば半透明または透明な基材などの透光性を有する基材に特定の波長領域の光を選択的に吸収する色素を所定の濃度でもって含有させてなるものとすることも可能である。具体的には、呈色部材を構成する基材の材料としては、セロハンや合成樹脂などを用いることが可能である。
【０１２０】
（４）上記した実施形態１では、呈色部材の内端位置がフレームの枠状部の内端位置よりも内寄りに配される構成を例示したが、呈色部材の内端位置がフレームの枠状部の内端位置と面一状とされる配置や、呈色部材の内端位置がフレームの枠状部の内端位置よりも外寄りに配される配置などを採ることも可能である。また、呈色部材の内端位置とフレームの枠状部の内端位置との間の差（枠状部に対する呈色部材の張り出し寸法）の具体的な値は適宜に変更可能である。
【０１２１】
（５）上記した実施形態２では、被位置決め突部及び位置決め凹部が５つずつ設けられた構成を例示したが、被位置決め突部及び位置決め凹部の具体的な設置数、平面配置、平面に視た大きさなどは適宜に変更可能である。例えば、被位置決め突部及び位置決め凹部が波長変換シート及びフレームにおける短辺側部分に配置されていてもよい。また、被位置決め突部及び位置決め凹部が波長変換シート及びフレームにおいて対称となる配置とされていてもよい。
【０１２２】
（６）上記した実施形態３，５では、呈色部材が反射シートの立ち上がり反射部に対して部分的に重畳する配置とされる場合を例示したが、呈色部材が反射シートの立ち上がり反射部に対して全域にわたって重畳する配置とすることも可能である。それ以外にも、立ち上がり反射部に対する呈色部材の具体的な重畳範囲は適宜に変更可能である。
【０１２３】
（７）上記した実施形態３，５では、反射シートが底側反射部に対して傾斜状に立ち上がる立ち上がり反射部を有する構成のものを示したが、立ち上がり反射部の具体的な構成（例えば、各立ち上がり反射部における傾斜角度の設定、各立ち上がり反射部における平面に視た幅寸法の設定など）は適宜に変更可能である。
【０１２４】
（８）上記した実施形態１などでは、導光板における他方の長辺側の端面を非入光端面とした片側入光タイプのバックライト装置を例示したが、導光板における一方の長辺側の端面を非入光端面とした片側入光タイプのバックライト装置にも本発明は適用可能である。また、導光板における一方または他方の短辺側の端面を非入光端面とした片側入光タイプのバックライト装置にも本発明は適用可能である。
【０１２５】
（９）上記した（８）以外にも、導光板における一対の長辺側の端面または一対の短辺側の端面を入光端面とした両側入光タイプのバックライト装置にも本発明は適用可能である。また、導光板の外周端面における任意の３つの端面を入光端面とした３辺入光タイプのバックライト装置にも本発明は適用可能である。また、導光板の外周端面における４つの端面の全てを入光端面とした４辺入光タイプのバックライト装置にも本発明は適用可能である。
【０１２６】
（１０）上記した実施形態２に記載した構成を、実施形態３〜１０に記載した構成に組み合わせることも可能である。特に、実施形態２，３を組み合わせる場合には、拡散板またはフレームに位置決め部を設けるようにするのが好ましいが、拡散板及びフレームとは別部品の位置決め部を設けるようにしてもよい。
【０１２７】
（１１）上記した実施形態３に記載した構成を、実施形態６〜１０に記載した構成に組み合わせることも可能である。
【０１２８】
（１２）上記した実施形態４に記載した構成を、実施形態６〜１０に記載した構成に組み合わせることも可能である。
【０１２９】
（１３）上記した実施形態５に記載した構成を、実施形態６〜１０に記載した構成に組み合わせることも可能である。
【０１３０】
（１４）上記した実施形態６に記載した構成を、実施形態７に記載した構成に組み合わせることも可能である。つまり、呈色部材が端面重なり部を有さず、一対の板面重なり部を有する構成であっても構わない。
【０１３１】
（１５）上記した実施形態７に記載した構成を、実施形態８〜１０に記載した構成に組み合わせることも可能である。
【０１３２】
（１６）上記した実施形態１などでは、エッジライト型のバックライト装置において４枚の光学部材を備える構成を例示したが、エッジライト型のバックライト装置において光学部材の枚数を３枚以下または５枚以上に変更することも可能である。同様に、上記した実施形態３などでは、直下型のバックライト装置において５枚の光学部材を備える構成を例示したが、直下型のバックライト装置において光学部材の枚数を４枚以下または６枚以上に変更することも可能である。また、エッジライト型または直下型のバックライト装置において波長変換シートを除いて使用する光学部材の種類についても適宜に変更可能であり、例えば拡散シートなどを用いることも可能である。また、波長変換シートを含む各光学部材の具体的な積層順についても適宜に変更可能である。
【０１３３】
（１７）上記した各実施形態１などでは、エッジライト型のバックライト装置において波長変換シートが他の光学部材と共にフレームに対して表側に載せられる構成を例示したが、エッジライト型のバックライト装置において波長変換シートが導光板に対して表側に直接載せる構成を採ることも可能である。その場合は、波長変換シート及び導光板の外周端部が共にフレームの枠状部によって表側から支持されることになる。また、導光板と波長変換シートとの間に他の光学部材（マイクロレンズシート、プリズムシート、反射型偏光シートなど）を１枚または複数枚重ねて配置することも可能である。
【０１３４】
（１８）上記した実施形態３などでは、直下型のバックライト装置において波長変換シートが拡散板に対して表側に載せられる構成を例示したが、拡散板を除いた他の光学部材と波長変換シートとの具体的な積層順は適宜に変更可能である。
【０１３５】
（１９）上記した各実施形態（実施形態４，５を除く）では、波長変換シートが緑色蛍光体及び赤色蛍光体を含む構成とされる場合を示したが、波長変換シートに黄色蛍光体のみを含ませた構成としたり、黄色蛍光体に加えて赤色蛍光体や緑色蛍光体を含ませた構成としたりすることも可能である。
【０１３６】
（２０）上記した各実施形態では、波長変換シートに含まれる蛍光体として用いた量子ドット蛍光体をＣｄＳｅ及びＺｎＳからなるコア・シェル型とした場合を例示したが、内部組成を単一組成としたコア型量子ドット蛍光体を用いることも可能である。例えば、２価の陽イオンになるＺｎ、Ｃｄ、Ｈｇ、Ｐｂ等と２価の陰イオンになるＯ、Ｓ、Ｓｅ、Ｔｅ等とを組み合わせた材料（ＣｄＳｅ、ＣｄＳ、ＺｎＳ）を単独で用いることが可能である。さらには、３価の陽イオンとなるＧａ、Ｉｎ等と３価の陰イオンとなるＰ、Ａｓ、Ｓｂ等とを組み合わせた材料（ＩｎＰ（リン化インジウム）、ＧａＡｓ（ヒ化ガリウム）等）やカルコパイライト型化合物（ＣｕＩｎＳｅ2等）などを単独で用いることも可能である。また、コア・シェル型やコア型の量子ドット蛍光体以外にも、合金型の量子ドット蛍光体を用いることも可能である。また、カドミウムを含有しない量子ドット蛍光体を用いることも可能である。
【０１３７】
（２１）上記した各実施形態では、波長変換シートに含まれる蛍光体として用いた量子ドット蛍光体をＣｄＳｅ及びＺｎＳのコア・シェル型とした場合を例示したが、他の材料同士を組み合わせてなるコア・シェル型の量子ドット蛍光体を用いることも可能である。
【０１３８】
（２２）上記した各実施形態では、波長変換シートに量子ドット蛍光体を含有させた構成のものを例示したが、他の種類の蛍光体を波長変換シートに含有させるようにしても構わない。例えば、波長変換シートに含有させる蛍光体として硫化物蛍光体を用いることができ、具体的には緑色蛍光体としてＳｒＧａ2Ｓ4：Ｅｕ2+を、赤色蛍光体として（Ｃａ，Ｓｒ，Ｂａ）Ｓ：Ｅｕ2+を、それぞれ用いることが可能である。
【０１３９】
（２３）上記した（２２）以外にも、波長変換シートに含有させる緑色蛍光体を、(Ｃａ，Ｓｒ，Ｂａ) 3ＳｉＯ4：Ｅｕ2+、β−ＳｉＡｌＯＮ：Ｅｕ2+、Ｃａ3Ｓｃ2Ｓｉ3Ｏ12：Ｃｅ3+などとすることができる。また、波長変換シートに含有させる赤色蛍光体を、(Ｃａ，Ｓｒ，Ｂａ) 2ＳｉＯ5Ｎ8：Ｅｕ2+、ＣａＡｌＳｉＮ3：Ｅｕ2+などとすることができる。さらには、波長変換シートに含有させる黄色蛍光体を、(Ｙ，Ｇｄ) 3 (Ａｌ，Ｇａ) 5Ｏ12：Ｃｅ3+（通称 ＹＡＧ：Ｃｅ3+）、α−ＳｉＡｌＯＮ：Ｅｕ2+、(Ｃａ，Ｓｒ，Ｂａ) 3ＳｉＯ4：Ｅｕ2+などとすることができる。それ以外にも、波長変換シートに含有させる蛍光体として、複フッ化物蛍光体（マンガン付活のケイフッ化カリウム（Ｋ2ＴｉＦ6）など）を用いることも可能である。
【０１４０】
（２４）上記した（２２），（２３）以外にも、波長変換シートに含有させる蛍光体として有機蛍光体を用いることができる。有機蛍光体としては、例えばトリアゾールまたはオキサジアゾールを基本骨格とした低分子の有機蛍光体を用いることができる。
【０１４１】
（２５）上記した（２２），（２３），（２４）以外にも、波長変換シートに含有させる蛍光体としてドレスト光子（近接場光）を介したエネルギー移動によって波長変換を行う蛍光体を用いることも可能である。この種の蛍光体としては、具体的には、直径３ｎｍ〜５ｎｍ（好ましくは４ｎｍ程度）の酸化亜鉛量子ドット（ＺｎＯ−ＱＤ）にＤＣＭ色素を分散・混合させた構成の蛍光体を用いるのが好ましい。
【０１４２】
（２６）上記した実施形態４，５以外にも、ＬＥＤの封止材に含有させる緑色蛍光体の具体的な種類などは、上記した波長変換シートに含有させる緑色蛍光体と同様に適宜に変更することが可能である。
【０１４３】
（２７）上記した各実施形態以外にも、ＬＥＤの発光スペクトル（ピーク波長の数値、ピークの半値幅の数値など）及び各蛍光体層に含まれる蛍光体の発光スペクトル（ピーク波長の数値、ピークの半値幅の数値など）に関しては、適宜に変更することが可能である。
【０１４４】
（２８）上記した各実施形態では、ＬＥＤを構成するＬＥＤ素子の材料としてＩｎＧａＮを用いた場合を示したが、他のＬＥＤ素子の材料として、例えばＧａＮ、ＡｌＧａＮ、ＧａＰ、ＺｎＳｅ、ＺｎＯ、ＡｌＧａＩｎＰなどを用いることも可能である。
【０１４５】
（２９）上記した各実施形態では、シャーシが金属製とされた場合を例示したが、シャーシを合成樹脂製とすることも可能である。
【０１４６】
（３０）上記した各実施形態（実施形態３，５を除く）では、光学部材がフレームの枠状部に対して表側に載せられて導光板との間に間隔が空けられた構成を例示したが、光学部材が導光板に対して表側に直接載せられる構成を採ることも可能である。その場合、フレームの枠状部が最も表側に配される光学部材を表側から押さえる構成を採るのが好ましいものとされるが、必ずしもその限りではない。
【０１４７】
（３１）上記した各実施形態では、光源としてＬＥＤを用いたものを示したが、有機ＥＬなどの他の光源を用いることも可能である。
【０１４８】
（３２）上記した各実施形態では、液晶パネル及びシャーシがその短辺方向を鉛直方向と一致させた縦置き状態とされるものを例示したが、液晶パネル及びシャーシがその長辺方向を鉛直方向と一致させた縦置き状態とされるものも本発明に含まれる。
【０１４９】
（３３）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１５０】
（３４）上記した各実施形態では、透過型の液晶表示装置を例示したが、それ以外にも反射型の液晶表示装置や半透過型の液晶表示装置にも本発明は適用可能である。
【０１５１】
（３５）上記した各実施形態では、表示パネルとして液晶パネルを用いた液晶表示装置を例示したが、他の種類の表示パネルを用いた表示装置にも本発明は適用可能である。
【０１５２】
（３６）上記した各実施形態では、チューナーを備えたテレビ受信装置を例示したが、チューナーを備えない表示装置にも本発明は適用可能である。具体的には、電子看板（デジタルサイネージ）や電子黒板として使用される液晶表示装置にも本発明は適用することができる。
【符号の説明】
【０１５３】
１０，２１０…液晶表示装置（表示装置）、１０ＴＶ…テレビ受信装置、１１，２１１…液晶パネル（表示パネル）、１２，２１２，３１２，４１２，５１２，６１２…バックライト装置（照明装置）、１４，２１４…シャーシ、１４ａ，２１４ａ…底部、１６，１１６，２１６…フレーム（支持部材）、１６ａ，１１６ａ…枠状部、１７，２１７，３１７，４１７，７１７，８１７，９１７…ＬＥＤ（光源）、１７ａ，２１７ａ…発光面、１９…導光板、１９ａ…出光板面、１９ｂ…入光端面、２０，１２０，２２０，３２０，４２０，５２０，６２０，７２０，８２０，９２０…波長変換シート（波長変換部材）、２０ａ…波長変換層、２０ｂ…保護層、３０，１３０，２３０，３３０，４３０，５３０，６３０，７３０，８３０，９３０…呈色部材、３１…被位置決め突部、３２…位置決め部、３３…反射シート（反射部材）、３３ａ…底側反射部、３３ｂ…立ち上がり反射部
【図１】
2018200883.tif 000003
【図２】
2018200883.tif 000004
【図３】
2018200883.tif 000005
【図４】
2018200883.tif 000006
【図５】
2018200883.tif 000007
【図６】
2018200883.tif 000008
【図７】
2018200883.tif 000009
【図８】
2018200883.tif 000010
【図９】
2018200883.tif 000011
【図１０】
2018200883.tif 000012
【図１１】
2018200883.tif 000013
【図１２】
2018200883.tif 000014
【図１３】
2018200883.tif 000015
【図１４】
2018200883.tif 000016
【図１５】
2018200883.tif 000017
【図１６】
2018200883.tif 000018
【図１７】
2018200883.tif 000019
【図１８】
2018200883.tif 000020
【図１９】
2018200883.tif 000021
【図２０】
2018200883.tif 000022
【図２１】
2018200883.tif 000023
【図２２】
2018200883.tif 000024
【図２３】
2018200883.tif 000025